(57)【特許請求の範囲】
【請求項１】
少なくとも１つの導体と、
前記少なくとも１つの導体に電気的に接続され、かつ、前記少なくとも１つの導体によって電界が生ずるように前記少なくとも１つの導体の電位を所定の電位にする電源と、
前記少なくとも１つの導体によって生じた電界によって誘電分極が生ずる位置に配置された少なくとも１つの誘電体と、を含み、
略棒状形状を有する前記少なくとも１つの導体の少なくとも一部が、略円筒状形状または外面と内面とを含む略半円筒状形状を有する部材である前記少なくとも１つの誘電体によって覆われ、
前記少なくとも１つの誘電体の誘電分極により生じた電界によって飛動可能な生物を捕捉し、
前記所定の電位が１〜４０ｋＶであることを特徴とする飛動生物除去装置。
【請求項２】
前記少なくとも１つの導体は、複数の導電体からなり、
前記少なくとも１つの誘電体は、各々が前記複数の導電体の各々の少なくとも一部を覆う複数の誘電被覆体からなり、
前記誘電被覆体によって少なくとも一部が覆われた前記複数の導電体の各々は、空気が流通できるように互いに離隔して配置された請求項１に記載の飛動生物除去装置。
【請求項３】
前記複数の導電体と前記複数の誘電被覆体とから複数の誘電被覆導電体が構成され、
前記複数の誘電被覆導電体の各々は、前記複数の導電体のうちの１つの導電体と、前記複数の誘電被覆体のうちの１つの誘電被覆体との対によって構成され、かつ、前記１つの導電体が、前記１つの誘電被覆体の内側にかつ長手方向に沿って配置され、
前記複数の誘電被覆導電体は、空気が流通できるように互いに離隔しかつ互いに平行になるように配置された請求項２に記載の飛動生物除去装置。
【請求項４】
前記複数の誘電被覆導電体によって、複数の誘電被覆導電体群が構成され、
前記複数の誘電被覆導電体群の各々は、前記複数の誘電被覆導電体のうちの所定の数の誘電被覆導電体によって構成され、
前記複数の誘電被覆導電体群の各々における前記所定の数の誘電被覆導電体は、空気が流通できるように互いに離隔しかつ互いに平行になるように配置され、
前記複数の誘電被覆導電体群の各々は、互いに異なる複数の所定の面のうちの対応する１つの面に沿うように配置された請求項３に記載の飛動生物除去装置。
【請求項５】
前記複数の誘電被覆導電体群は、第１の誘電被覆導電体群と、第２の誘電被覆導電体群と、を含み、
第１の誘電被覆導電体群と、第２の誘電被覆導電体群とは、前記互いに異なる複数の所定の面のうち最も外側に位置する面に位置づけられ、
前記第１の導電体群を構成する前記誘電被覆体の前記外面と、第２の導電体群を構成する前記誘電被覆体の前記外面とが、互いに反対向きになるように配置されている請求項４記載の飛動生物除去装置。
【請求項６】
前記少なくとも１つの導体と前記少なくとも１つの誘電体が、空気が流通できるように形成された所定の開口を覆うように配置された請求項１ないし３のうちいずれか１つに記載の飛動生物除去装置。
【請求項７】
植物が配置される植物配置区域と、
前記植物配置区域を囲む囲繞部と、を含み、
前記囲繞部の少なくとも一部は、可視光を透過させることができ、
前記囲繞部のうち空気が流通可能な箇所に請求項１ないし６のうちいずれか１に記載の飛動生物除去装置が設けられたことを特徴とする植物保護装置。
【請求項８】
前記囲繞部には、前記植物配置区域に配置された植物に空気を供給するための少なくとも１つの流通開口が形成され、
前記飛動生物除去装置は、前記少なくとも１つの流通開口を覆うように取り付けられ、
前記第１の誘電被覆導電体群は、前記流通開口から最も遠い位置に配置され、
前記第２の誘電被覆導電体群は、前記流通開口から最も近い位置に配置された請求項７に記載の植物保護装置。
【請求項９】
誘電性の材料からなりかつ少なくとも１つの網目が形成された網目体を含み、
前記網目体は、前記第１の被覆導電体群を構成する前記所定の数の誘電被覆導電体によって占められる面積と略同じ面積を有し、
前記網目体は、前記第１の被覆導電体群の位置の近傍の位置であり、かつ、前記流通開口に対して前記第１の被覆導電体群よりも遠い位置に、前記第１の被覆導電体群を構成する前記誘電被覆導電体を覆うように配置された請求項８に記載の植物保護装置。
【発明の詳細な説明】
【技術分野】
【０００１】
本発明は、植物病害の発生原因となる分生子および菌体等に静電気を帯電させて吸着除去することにより植物病害の発生を防止する方法に関するものである。
また、本発明は、植物病原菌の胞子等及び／又は小害虫等の飛動可能な生物に静電界を印加して、飛動可能な生物を捕捉することによって、飛動可能な生物を除去して、植物の病虫害の発生を防止する飛動生物除去装置及び植物保護装置に関する。
【背景技術】
【０００２】
天然物や化学合成品由来の農園芸用の抗菌剤や抗カビ剤が検討されている。そしてこれらの中から農園芸用の抗菌剤や抗カビ剤が上市されてきている。しかし、薬剤により植物病原菌に対する感受性が異なること、植物病原菌が薬剤に対し抵抗性を獲得することや薬害等の理由により、現在用いられている農園芸用の抗菌剤や抗カビ剤では、植物病原菌に対して充分な対応が出来ていない。このため、農園芸用の抗菌剤や抗カビ剤の分野において、安全性や有効性に更に優れた薬剤の開発が望まれている。【０００３】
天然由来の抗菌剤としては、酢酸、マシン油剤、なたね油剤等が実用化されている。【０００４】
化学合成品由来の抗菌剤としては、チオファネートメチル剤等のベンズイミダソール系抗菌剤、トリアジメホン剤およびビテルタノール剤等のステロール生合成阻害剤、ピリメタニル剤等のアニリノピリミジン系殺菌剤等が実用化されている。【０００５】
うどんこ病等は、空気中に分生子が飛散し、そしてこの飛散した分生子によりトマトやキュウリ等に付着し、発芽することにより発症する。【０００６】
空気中の細菌、胞子および花粉等を除去するものとして空気清浄機がある。この空気清浄機は、フィルターによるものおよび／または電気集塵式により細菌、胞子および花粉等を除去するものが知られている。【０００７】
フィルターによるものは、除去するものより細かい穴を有していないと効力がなくまた目詰まりにより長期間の稼動が困難である。【０００８】
気体中に浮遊するダストやミストの捕集効果を増大させるものとして、２枚の金属電極とこれと平行して設置してあるプラスチック製立体網目スクリーンとを用いる静電誘導吸塵装置が報告されている（例えば、特許文献１参照）。【０００９】
更に、金属線に高電圧をかけるワイヤー放電式と針先に高電圧をかけるニードル放電式との電気集塵装置が知られている（例えば、特許文献２、特許文献３、特許文献４等参照）。これらはともにコロナ放電により胞子および花粉等の除去するものを帯電させ、捕集電極により吸着させることにより、細菌、胞子および花粉等を除去するものである。【００１０】
野菜や花卉のハウス栽培において植物病虫害が発生することは、その栽培ハウス内の全植物において発生する確率が非常に高い。このため、植物病虫害が発生する前に薬剤散布することにより、このリスクを回避している。しかし、このような薬剤散布に頼ることなく植物病虫害の発生を抑制することは、現在困難である。【００１１】
金属電極とこれと平行してあるプラスチック製立体網目スクリーンとを用いる静電誘導吸塵装置では、剥き出しの金属電極でコロナ放電する可能性がある。【００１２】
電気集塵機では、コロナ放電等を用いて胞子や花粉等を帯電させているが、同時にオゾンも発生することになる。このため、オゾンにより植物に悪影響を与える恐れがある。また高湿度条件下では、帯電効率が低下する恐れがある。
【特許文献１】特開昭５２−１２０４７３号公報
【特許文献２】特開平１０−１３７６２８号公報
【特許文献３】特開２０００−１８９８３５号公報
【特許文献４】特開２００３−２１１０２４号公報
【発明の開示】
【発明が解決しようとする課題】
【００１３】
植物病害の発生原因となる分生子および菌体等をコロナ放電等を用いることなく静電気を帯電させて吸着除去することにより植物病害の発生を防止する方法を提供することである。【００１４】
また、本発明は、植物病原菌の胞子等及び／又は小害虫等の飛動可能な生物に静電界を印加して、飛動可能な生物を捕捉する飛動生物除去装置及び植物保護装置に関する。
【課題を解決するための手段】
【００１５】
本発明者らは、上記課題を解決するため鋭意検討した結果、以下のことにより解決することを見出し、本発明を完成させた。【００１６】
本発明に係る方法は、
高電圧が荷電した導電体と接触する不導体または隣接する不導体により、空気中に浮遊する植物病原菌の分生子または菌体に高静電気電圧を帯電させ、この帯電した分生子または菌体を当該不導体に吸着させて空気中から除去することを特徴とする植物病害の発生を防止するものである。
【発明の効果】
【００１７】
本発明の分生子および菌体等に静電気を帯電させることでの吸着除去方法は、空気中から効率良く植物病原菌の分生子および菌体等を除去できることおよび放電等によりオゾン発生がないことから、植物に対して障害を与えることなく植物病害の発生を防止することができる。
また、植物病原菌の胞子等及び／又は小害虫等の飛動可能な生物に静電界を印加して、飛動可能な生物を的確に捕捉することができる。
【図面の簡単な説明】
【００１８】
【図１】高電圧が荷電した導電体を不導体で被覆した格子を分生子が通過するかを調べる装置の概念図。
【図２】高電圧が荷電した導電体と一部接触または隣接した格子状不導体部（誘電分極付与部）の概念図（上から見た図）。
【図３】図２記載の格子状不導体部（誘電分極付与部）の１、２および３のところの断面概念図。
【図４】図２記載の格子状不導体部（誘電分極付与部）の１〜３方向から見た横面概念図。
【図５】本発明に係る植物保護装置１５の概略を示す斜視図である。
【図６】飛動生物除去装置１００の概略を示す斜視図である。
【図７】飛動生物除去装置１００の概略を示す断面図である。
【図８】１本の誘電被覆導電体１４０の構成を示す斜視図である。
【図９】１本の誘電被覆導電体１４０の構成を示す断面図（ａ）と、１本の誘電被覆導電体１４０’の構成を示す断面図（ｂ）と、である。
【図１０】誘電被覆体２２２、３２２及び４２２の概略を示す斜視図である。
【図１１】飛動生物除去装置２００の概略を示す断面図である。
【図１２】飛動生物除去装置３００の概略を示す断面図である。
【図１３】１本の誘電被覆導電体５４０の構成を示す断面図（ａ）と、１本の誘電被覆導電体６４０の構成を示す断面図（ｂ）と、である。
【図１４】飛動生物除去装置４００の概略を示す断面図である。
【符号の説明】
【００１９】
Ａ：不導体被覆格子または縦横の格子状等の誘電分極付与部。
Ｂ：通過した分生子を計測するためのスライドガラス、または、苗の設置場所。
Ｃ：分生子の流れる方向。
Ｄ：高電圧発生装置（例えば、１０ｋＶまたは１５ｋＶの出力ができる）。
１〜３：誘電分極付与部の位置を示す記号
１０：導体（例えば、アルミニウム版）
１１：不導体（例えば、ポリエチレンテレフタレート）
１２：スペーサー（不導体で作製した電極部と不導体１１との間隔をとるためのもの）
１３：電極部（ポリエチレンテレフタレートに導体１０を貼付け不導体で被覆した部分）
１４：ポリエチレンテレフタレート製の梁
１５  植物保護装置
２０  植物配置区域
３０  囲繞部
３２ａ  正面壁
３２ｂ  背面壁
３２ｃ  右側面壁
３２ｄ  左側面壁
３２ｅ  上面
３２ｆ  下面
３４ａ，３４ｂ  開口
１００，２００，３００，４００  飛動生物除去装置
１１０、１１０ａ、１１０ｂ  導体
１１２、１１２ａ、１１２ｂ  導電体
１２０、１２０ａ、１２０ｂ、５２０、５２０ａ、５２０ｂ  誘電体
１２２、１２２’、１２２ａ、１２２ｂ、２２２、３２２、４２２  誘電被覆体
５２２、５２２ａ、５２２ｂ、６２２  誘電被覆体
１４０、１４０’、１４０ａ、１４０ｂ  誘電被覆導電体
５４０、５４０ａ、５４０ｂ、６４０  誘電被覆導電体
１３０  電源
１５０  筐体
【発明を実施するための最良の形態】
【００２０】
全般的説明【００２１】
また、本発明に係る方法は、
高電圧が荷電した導体を不導体で被覆したものを用いることを特徴とする上記記載の植物病害の発生を防止するものである。【００２２】
さらに、本発明に係る方法は、高電圧が荷電した導体を不導体で被覆したものと接触する不導体または隣接する不導体を用いることを特徴とする上記記載の植物病害の発生を防止するものである。【００２３】
本発明に係る飛動生物除去装置は、
少なくとも１つの導体と、
前記少なくとも１つの導体に電気的に接続され、かつ、前記少なくとも１つの導体によって電界が生ずるように前記少なくとも１つの導体の電位を所定の電位にする電源と、
前記少なくとも１つの導体によって生じた電界によって誘電分極が生ずる位置に配置された少なくとも１つの誘電体と、を含み、
前記少なくとも１つの誘電体を介して生じた電界によって飛動可能な生物を捕捉することを特徴とする。【００２４】
本発明に係る飛動生物除去装置は、少なくとも１つの導体と、電源と、少なくとも１つの誘電体と、を含む。【００２５】
導体の数は、１つでも、複数でもよい。
電源は、少なくとも１つの導体に電気的に接続されている。これにより、少なくとも１つの導体によって電界が生じ、少なくとも１つの導体の電位を所定の電位にする。【００２６】
誘電体の数は、１つでも、複数でもよい。少なくとも１つの誘電体は、少なくとも１つの導体によって生じた電界によって誘電分極が生ずる位置に配置されている。この誘電分極によって、少なくとも１つの誘電体を介して電界が生じ、この電界によって飛動可能な生物を捕捉する。【００２７】
誘電体は、誘電体の誘電分極によって生ずる電界の強さが位置によって異なるような形状にしたり、配置にしたりするのが好ましい。このように、電界の強度が位置によって異なる電界（不平等電界、不均一場）を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことできる。このような電界を生じさせることで、クーロン力やグレーディエント力を飛動可能な生物に及ぼして、飛動可能な生物を移動させにくくすることができる。このようにすることで、誘電体の誘電分極によって生ずる電界によって、飛動可能な生物を的確に捕捉することができる。【００２８】
上述したように、誘電体は、少なくとも１つあればよい。複数の誘電体を設けたときには、上述した少なくとも１つの導体と、誘電体との配置は、除去すべき飛動可能な生物の種類や、飛動生物除去装置によって保護すべき植物の種類等に応じて適宜組み合わせたり変更したりすればよい。【００２９】
また、本発明に係る飛動生物除去装置は、
前記少なくとも１つの導体の少なくとも一部が、前記少なくとも１つの誘電体によって覆われたものが好ましい。【００３０】
少なくとも１つの導体は、誘電体によって覆われている。導体の全てが誘電体によって覆われている必要はなく、少なくとも一部が誘電体によって覆われていればよい。少なくとも１つの導体を誘電体によって覆う態様は、例えば、略円筒状に形成された誘電体によって、導体の各々を覆うようなものや、略半円筒状に形成された誘電体によって、導体の各々を覆うようなものがある。なお、誘電体は、このような形状に限られるものではなく、例えば、誘電性の材料を導体に塗布したり付着させたりすることで、導体を覆う誘電体とすることできるものも含まれる。【００３１】
さらに、本発明に係る飛動生物除去装置は、
前記少なくとも１つの導体は、複数の導電体からなり、
前記少なくとも１つの誘電体は、各々が前記複数の導電体の各々の少なくとも一部を覆う複数の誘電被覆体からなり、
前記誘電被覆体によって少なくとも一部が覆われた前記複数の導電体の各々は、空気が流通できるように互いに離隔して配置されたものが好ましい。【００３２】
少なくとも１つの導体は、複数の導電体からなる。また、少なくとも１つの誘電体は、複数の誘電被覆体からなる。複数の誘電被覆体の各々は、複数の導電体の各々の少なくとも一部を覆う。【００３３】
このようにすることで、導体や誘電体を単独で配置する必要がなくなり、誘電体と導体とを一体に取り扱うことができるので、飛動生物除去装置の組み立てや取り扱いを容易にすることができる。【００３４】
また、複数の導電体と複数の誘電被覆体とから、複数の対が形成され、複数の対の隣り合うもの同士は、空気が流通できるように互いに離隔して配置されている。このように離隔して配置することにより、飛動生物除去装置を介して空気を供給すべき植物に対して、十分に空気を流通させることができる。例えば、空気を供給すべき植物の種類に応じて、隣り合う対の間隔を定めればよい。【００３５】
さらにまた、本発明に係る飛動生物除去装置は、
前記複数の導電体の各々は、略棒状形状を有し、
前記複数の誘電被覆体の各々は、略円筒状形状を有し、
前記複数の導電体と前記複数の誘電被覆体とから複数の誘電被覆導電体が構成され、
前記複数の誘電被覆導電体の各々は、前記複数の導電体のうちの１つの導電体と、前記複数の誘電被覆体のうちの１つの誘電被覆体との対によって構成され、かつ、前記１つの導電体が、前記１つの誘電被覆体の内側にかつ長手方向に沿って配置され、
前記複数の誘電被覆導電体は、空気が流通できるように互いに離隔しかつ互いに平行になるように配置されたものが好ましい。【００３６】
複数の導電体の各々は、略棒状形状を有する。略棒状形状とは、略まっすぐに延びた長尺の形状をいう。【００３７】
また、複数の誘電被覆体の各々は、略円筒状形状を有する。略円筒状形状とは、略円柱状のものに貫通孔が形成された形状であり、貫通孔が、略円柱状のものの長手方向におおよそ沿うとともに、略円柱状のものの両端を貫通するように形成されたものである。貫通孔は、同心である必要はなく、偏心して形成されていてもよい。また、内側に長手方向におおよそ沿うように形成されていればよく、湾曲して形成されていてもよい。この略円筒状形状として、例えば、シリンダーのような形状がある。【００３８】
複数の導電体と複数の誘電被覆体とから複数の誘電被覆導電体が構成される。具体的には、複数の導電体のうちの１つの導電体と、複数の誘電被覆体のうちの１つの誘電被覆体との対によって、１つの誘電被覆導電体が構成され、複数の導電体と複数の誘電被覆体とによって複数の対が構成されて、これらの対によって、複数の誘電被覆導電体が構成される。複数の誘電被覆導電体の各々では、導電体が、誘電被覆体の内側にかつ長手方向に沿って配置されている。すなわち、上述した略円柱状のものに形成された貫通孔に、導電体が配置されている。なお、導電体は、貫通孔に長手方向に沿って配置されていればよく、導電体が、軸心線上に配置されている必要はない。軸心線から逸れた位置に配置されても、長手方向に沿って配置されていればよい。【００３９】
このようにしたことで、複数の誘電被覆体の各々の誘電分極によって生ずる電界の強さが位置によって異なるような電界（不平等電界、不均一場）を生じさせることができ、クーロン力やグレーディエント力を飛動可能な生物に及ぼして、飛動可能な生物を移動させにくくすることができる。このようにすることで、複数の誘電被覆体の各々の誘電分極によって生ずる電界によって、飛動可能な生物を的確に捕捉することができる。【００４０】
複数の誘電被覆導電体は、空気が流通できるように互いに離隔しかつ互いに平行になるように配置されている。具体的には、隣り合う２つの誘電被覆導電体が離隔しており、２つの誘電被覆導電体の間を空気が流通できるように配置されている。【００４１】
このようにしたことで、複数の誘電被覆導電体が、光を遮ることなく、植物に対して光を照射することができる。さらに、飛動生物除去装置を介して空気を的確に供給することができる。【００４２】
また、本発明に係る飛動生物除去装置は、
前記複数の導電体の各々は、略棒状形状を有し、
前記複数の誘電被覆体の各々は、外面と内面とを含む略半円筒状形状を有し、
前記複数の導電体と前記複数の誘電被覆体とから複数の誘電被覆導電体が構成され、
前記複数の誘電被覆導電体の各々は、前記複数の導電体のうちの１つの導電体と、前記複数の誘電被覆体のうちの１つの誘電被覆体との対によって構成され、かつ、前記１つの導電体が、前記１つの誘電被覆体の内面側にかつ長手方向に沿って配置され、
前記複数の誘電被覆導電体は、空気が流通できるように互いに離隔しかつ互いに平行になるように配置されたものが好ましい。【００４３】
複数の導電体の各々は、略棒状形状を有する。略棒状形状とは、略まっすぐに延びた長尺の形状をいう。【００４４】
また、複数の誘電被覆体の各々は、略半円筒状形状を有する。略半円筒状形状とは、略円筒状のものの軸心線を含む面で、略半分に分けたときに形成される片方の形状をいう。例えば、シリンダーを軸心線を含む面で、略半分に分けたときに形成される形状である。この誘電被覆体の各々は、略半円筒状形状を有するので、外面と内面とを含む。外面は、軸心を中心とした曲率が小さい面であり、軸心線に対して垂直な面に沿った断面が略半円状の凸面となる面である。内面は、軸心を中心とした曲率が、外面のものよりも大きい面であり、軸心線に対して垂直な面に沿った断面が略半円状の凹面となる面である。【００４５】
複数の導電体と複数の誘電被覆体とから複数の誘電被覆導電体が構成される。具体的には、複数の導電体のうちの１つの導電体と、複数の誘電被覆体のうちの１つの誘電被覆体との対によって、１つの誘電被覆導電体が構成され、複数の導電体と複数の誘電被覆体とによって複数の対が構成されて、これらの対によって、複数の誘電被覆導電体が構成される。複数の誘電被覆導電体の各々では、導電体が、上述した内面側にかつ長手方向に沿って配置されている。なお、導電体は、誘電被覆体の内面側に長手方向に沿って配置されていればよく、導電体が、軸心線上に配置されている必要はない。軸心線から逸れた位置に配置であっても、長手方向に沿って配置されていればよい。【００４６】
このようにしたことで、複数の誘電被覆体の各々の誘電分極によって生ずる電界の強さが位置によって異なるような電界（不平等電界、不均一場）を生じさせることができ、クーロン力やグレーディエント力を飛動可能な生物に及ぼして、飛動可能な生物を移動させにくくすることができる。このようにすることで、複数の誘電被覆体の各々の誘電分極によって生ずる電界によって、飛動可能な生物を的確に捕捉することができる。【００４７】
また、複数の誘電被覆導電体は、空気が流通できるように互いに離隔しかつ互いに平行になるように配置されている。具体的には、隣り合う２つの誘電被覆導電体が離隔しており、２つの誘電被覆導電体の間を空気が流通できるように配置されている。【００４８】
このようにしたことで、複数の誘電被覆導電体が、光を遮ることなく、植物に対して光を照射することができる。さらに、飛動生物除去装置を介して空気を的確に供給することができる。【００４９】
さらに、本発明に係る飛動生物除去装置は、
前記複数の誘電被覆導電体によって、複数の誘電被覆導電体群が構成され、
前記複数の誘電被覆導電体群の各々は、前記複数の誘電被覆導電体のうちの所定の数の誘電被覆導電体によって構成され、
前記複数の誘電被覆導電体群の各々における前記所定の数の誘電被覆導電体は、空気が流通できるように互いに離隔しかつ互いに平行になるように配置され、
前記複数の誘電被覆導電体群の各々は、互いに異なる複数の所定の面のうちの対応する１つの面に沿うように位置づけられたものが好ましい。【００５０】
複数の誘電被覆導電体によって、複数の誘電被覆導電体群が構成される。さらに、この複数の誘電被覆導電体群の各々は、所定の数の誘電被覆導電体によって構成される。複数の誘電被覆導電体群の各々に属する所定の数の誘電被覆導電体は、空気が流通できるように互いに離隔しかつ互いに平行になるように配置される。具体的には、１つの誘電被覆導電体群に属する隣り合う２つの誘電被覆導電体は、離隔して配置されており、２つの誘電被覆導電体の間を空気が流通できるように配置されている。【００５１】
複数の誘電被覆導電体群の各々が、対応する１つの面に沿うように配置されている。複数の誘電被覆導電体群の各々に属する誘電被覆導電体は、異なる面に配置される。すなわち、１つの誘電被覆導電体群に属する誘電被覆導電体は、１つの面に沿うように配置される。【００５２】
このようにすることで、誘電被覆導電体の誘電被覆体の周囲に生ずる電界の範囲を広げることができ、飛動可能な生物を捕捉できる範囲を広げることができる。【００５３】
さらにまた、本発明に係る飛動生物除去装置は、
前記複数の誘電被覆導電体群は、第１の誘電被覆導電体群と、第２の誘電被覆導電体群と、を含み、
第１の誘電被覆導電体群と、第２の誘電被覆導電体群とは、前記互いに異なる複数の所定の面のうち最も外側に位置する面に位置づけられ、
前記第１の導電体群を構成する前記誘電被覆体の前記外面と、第２の導電体群を構成する前記誘電被覆体の前記外面とが、互いに反対向きになるように配置されているものが好ましい。【００５４】
上述した複数の誘電被覆導電体群には、第１の誘電被覆導電体群と、第２の誘電被覆導電体群とが含まれる。第１の誘電被覆導電体群と、第２の誘電被覆導電体群とは、複数の誘電被覆導電体群のうちの最も外側に位置する面に位置づけられる。第１の導電体群を構成する誘電被覆体の外面と、第２の導電体群を構成する誘電被覆体の外面とは、互いに反対向きになるように配置されている。上述したように、誘電被覆体の形状を、外面と内面とを含む略半円筒状形状にすることができる。外面は、上述したように、軸心線に対して垂直な面に沿った断面が略半円状の凸面となる面である。第１の導電体群を構成する誘電被覆体の外面と、第２の導電体群を構成する誘電被覆体の外面とは、互いに反対向きになるように配置するとは、この凸面が互いに反対向きになるように配置することをいう。【００５５】
このようにしたことで、誘電被覆体の形状を、略半円筒状形状とした場合であっても、導電体が外向きに配置されることはなく、誘電被覆体が外向きに配置されることになる。このため、導電体に高い電圧が印加されたときに、誘電被覆導電体に触れた場合でもあっても、誘電被覆体によって絶縁されて、安全を確保することができる。【００５６】
また、本発明に係る飛動生物除去装置は、
前記少なくとも１つの導体と前記少なくとも１つの誘電体が、空気が流通できるように形成された所定の開口を覆うように配置されたものが好ましい。【００５７】
少なくとも１つの導体と少なくとも１つの誘電体は、空気が流通できるように形成された所定の開口を覆うように配置される。開口は、飛動生物除去装置が設けられるものに形成されたものであればよい。飛動生物除去装置が設けられるものは、例えば、温室やビニールハウスなどの植物保護装置がある。開口は、このような植物保護装置に形成され、空気が流通できるようにされたものであればよい。【００５８】
このようにしたことで、空気の流れにのって開口から入り込もうとする飛動生物に、クーロン力やグレーディエント力を及ぼして、飛動可能な生物を捕捉することができる。【００５９】
本発明に係る植物保護装置は、
植物が配置される植物配置区域と、
前記植物配置区域を囲む囲繞部と、を含み、
前記囲繞部の少なくとも一部は、可視光を透過させることができ、
前記囲繞部のうち空気が流通可能な箇所に上述した飛動生物除去装置が設けられたことを特徴とする。【００６０】
本発明に係る植物保護装置は、植物配置区域と囲繞部とを含む。植物配置区域には、植物が配置される。植物の種類は問わない。囲繞部は、植物配置区域を囲む。囲繞部は、植物の育成や生存に必要な程度に、可視光を透過させることができる部材からなる。囲繞部には、空気が流通可能な箇所が設けられている。空気は、植物の育成や生存に必要な程度に、空気を流通させることができればよい。空気が流通できる箇所には、上述した飛動生物除去装置が設けられている。このようにすることで、飛動可能な生物を空気中から除去して、植物の育成や生存に適切な空気を供給することができる。【００６１】
また、本発明に係る植物保護装置は、
前記囲繞部には、前記植物配置区域に配置された植物に空気を供給するための少なくとも１つの流通開口が形成され、
前記飛動生物除去装置は、前記少なくとも１つの流通開口を覆うように取り付けられ、
前記第１の誘電被覆導電体群は、前記流通開口から最も遠い位置に配置され、
前記第２の誘電被覆導電体群は、前記流通開口から最も近い位置に配置されたものが好ましい。【００６２】
囲繞部には、少なくとも１つの流通開口が形成されている。この流通開口は、植物配置区域に配置された植物に空気を供給するためのものである。上述した飛動生物除去装置は、流通開口を覆うように取り付けられる。さらに、第１の誘電被覆導電体群は、流通開口から最も遠い位置に配置される。すなわち、第１の誘電被覆導電体群に属する誘電被覆導電体が、流通開口から最も遠い位置に配置される。また、第２の誘電被覆導電体群は、流通開口から最も近い位置に配置される。すなわち、第２の誘電被覆導電体群に属する誘電被覆導電体が、流通開口から最も近い位置に配置される。【００６３】
このようにしたことで、まず、第１の誘電被覆導電体群に属する誘電被覆導電体によって、開口から植物配置区域に入り込もうとする飛動生物を捕捉することができる。さらに、この第１の誘電被覆導電体群に属する誘電被覆導電体によって、飛動生物を捕捉できなかった場合であっても、流通開口から最も近い位置に配置された第２の誘電被覆導電体群に属する誘電被覆導電体によって、飛動生物を捕捉することができる。このようにすることで、開口から植物配置区域に入り込もうとする飛動生物を捕捉する機会を増やすことができる。【００６４】
また、誘電被覆体の形状を、略半円筒状形状とした場合であっても、第１の誘電被覆導電体群や第２の誘電被覆導電体群に属する誘電被覆導電体の導電体が外向きに配置されることはなく、誘電被覆体が外向きに配置される、このため、導電体に高い電圧が印加されたときに、誘電被覆導電体に触れた場合でもあっても、誘電被覆体によって絶縁されて、安全を確保することができる。【００６５】
さらに、本発明に係る植物保護装置は、
誘電性の材料からなりかつ少なくとも１つの網目が形成された網目体を含み、
前記網目体は、前記第１の被覆導電体群を構成する前記所定の数の誘電被覆導電体によって占められる面積と略同じ面積を有し、
前記網目体は、前記第１の被覆導電体群の位置の近傍の位置であり、かつ、前記流通開口に対して前記第１の被覆導電体群よりも遠い位置に、前記第１の被覆導電体群を構成する前記誘電被覆導電体を覆うように配置されたものが好ましい。【００６６】
本発明に係る植物保護装置は、網目体を含む。この網目体は、誘電性の材料からなるとともに、少なくとも１つの網目が形成されている。網目は、誘電性の材料からなる線材を編んだり折り曲げたりすることで形成されたり、全体又は一部が、誘電性の材料によって、例えば、板状のものに孔を形成することによって一体的に形成され、最終的に網目状と視認できるように形成されたものであればよい。１つの網目の大きさは、飛動可能な生物の種類等に応じて定めればよい。また、全ての網目の大きさが同じである必要もない。網目の形状は、略四角形や略ひし形等のものが好ましいが、その他の多角形でもよい。【００６７】
網目体は、第１の被覆導電体群に属する誘電被覆導電体によって占められる面積と略同じ面積を有するように成形されるのが好ましい。さらに、網目体は、第１の被覆導電体群の位置の近傍の位置であり、かつ、流通開口から第１の被覆導電体群よりも遠い位置に配置されたものが好ましい。また、第１の被覆導電体群に属する誘電被覆導電体の全体を覆うようにされたものが好ましい。【００６８】
このようにしたことで、飛動生物除去装置のカバーとしての機能も有し、飛動生物よりも大きい物体、例えば、植物の葉やゴミなどの移動を誘電性の網目体によって阻止することができ、物体が導電体と接触しないように排除することができる。【００６９】
＜＜＜第１の実施の形態＞＞＞
本発明の植物病害の発生を防止する方法において、分生子および菌体等（以下、分生子等と称する）に高静電気電圧を帯電させることができればどのような手段を用いても、本発明において使用することができる。例えば、不導体においては誘電分極により、導体においては静電誘導により分生子等を帯電させることが出来ればよい。【００７０】
高電圧を荷電する導体としては、導体であればどのようなものでも使用することができる。当該導体としては、例えば、銅、アルミニウム、ステンレス、および鉄等を挙げることができる。本発明においては、コロナ放電を抑制できることおよび感電事故を無くすことができることから不導体で被覆した導体を用いることが好ましい。【００７１】
高電圧に荷電した導体と接触する不導体または隣接する不導体とは、高電圧に荷電した導体と接触する不導体を用いるものであり、または高電圧に荷電した導体と隣接する不導体を用いるものである。そして、この不導体とは、電気を通さないもの即ち絶縁体と言われているものであればどのようなものでも使用することができる。当該不導体としては、例えば、塩化ビニル、ポリエチレン、ポリプロピレン、ウレタン、ポリエステル、レーヨン、セルロース、ゴム等が挙げられる。また、導体を不導体で被覆しても良い。被覆方法は、どのような方法でも、導体に不導体が被覆されれば限定されるものではない。例えば、不導体を溶かし、これを導体に塗布または浸漬することにより導体に付着または被覆することができる。また、不導体を含有する塗料を用いても良く、この塗料としては絶縁塗料が好ましい。【００７２】
高電圧に荷電した導体と隣接している不導体とは、導体の一部に不導体が接触している状態、導体の近くに不導体が設置されている状態、不導体被覆の導体の一部に不導体が接触している状態、または不導体被覆の導体の近くに不導体が設置されている状態のものである。この近くとは、導体または不導体被覆の導体から不導体が帯電できる距離であればよい。例えば、この距離は、０．１〜３ｃｍが好ましく、０．３〜２ｃｍがより好ましく、０．５〜１ｃｍが更に好ましい。【００７３】
本発明における不導体の形状は、分生子等を帯電させることができればどのような形状でもよい。例えば、被覆銅線を平行に張った物、被覆銅線を縦横の格子状に張った物、不導体の網の周囲を導体で囲んだ物、不導体の網の周囲を被覆導体で囲んだ物、不導体の網に導体を平行に設置（接触していても隣接していても良い）した物、不導体の網に被覆した導体を平行に設置（接触していても隣接していても良い）した物、不導体で被覆した金網等が挙げられる。【００７４】
本発明における不導体の間隔は、荷電する電圧により変化するが、分生子等が帯電し、これが付着することが出来る距離を有するものであれば、どのような間隔でもよい。【００７５】
本発明における荷電する電圧は、不導体の間隔および不導体部を通過する風量等により異なるが、分生子等が高静電気電圧に帯電できるものであればどのような電圧でも良い。例えば、１〜３０ｋＶが好ましく、３〜２０ｋＶがより好ましく、５〜１５ｋＶが更に好ましい。荷電の電圧が高すぎると、分生子等を吸着することが出来なくなることがある。また、荷電の電圧が低すぎる場合は分生子等が誘電分極が出来なくなることがあるため好ましくない。【００７６】
荷電するときの極性は、用途、設置する方法や場所等により好ましい極性を選ぶことができる。また、本発明においては、マイナスの高電圧を導体に荷電した場合、プラス極を接地（アース）とし、逆にプラスの高電圧を導体に荷電した場合、マイナス極を接地（アース）とする。即ち、帯電した分生子等が吸着される部分には、単極（マイナスまたはプラスのどちらか）のみが荷電される。このことから、分生子等が吸着される部分からのコロナ放電をほとんど無くすことが期待でき、湿度が高い状態でも使用することができる。【００７７】
本発明における分生子とは、農園芸用植物の病気を感染させるもので、運動性を欠く無性胞子のことである。なお、菌糸が隔壁部で切り離されてできるものも分生子形成細胞から出芽によりできるものも含まれる。【００７８】
本発明の植物病害を防止する方法において、対象となるものは、うどんこ病（トマト、ナス、ピーマン、ムギ類、キュウリ、メロン、スイカ、エンドウ豆、ブドウ、イチゴ、バラ等）、菌核病（トマト、ナス、キュウリ、スイカ、ダイコン、ハクサイ、キャベツ等）、および灰色かび病（トマト、ナス、ピーマン、キュウリ、カボチャ、イチゴ、エンドウ、インゲン、タマネギ、ネギ等）、葉かび病（トマト等）、さび病（ネギ、タマネギ、ニラ、アスパラガス、レタス等）
等が例示できる。【００７９】
本発明における菌体とは、農園芸用植物の病気を感染させるものである。【００８０】
本発明の方法を適用した装置としては、例えば高電圧が荷電した導電体と接触または隣接した不導体をフィルター部に組込んだもの、高電圧が荷電した導電体上に不導体を設置して板状としたものおよび高電圧が荷電した被覆導電体の線等が挙げられる。【００８１】
このフィルター部の誘電分極を付与する不導体の形状としては、被覆銅線を平行に張った物、被覆銅線を格子状に張った物、不導体の網の周囲を電導体で囲んだ物、不導体で被覆した金網等が挙げられる。この誘電分極を付与する不導体の前にフィルターを設置することが大きな物を除去できることから好ましい。このようなフィルター部は、例えばハウスへの吸気部に設置して、分生子等が除去されたクリーンな空気のハウス内への導入に、ハウス内に設置しハウス内の空気の浄化等に使用することができる。【００８２】
板状や線とした物は、ハウス内に設置しハウス内の空気の浄化等に使用することができる。【００８３】
さらに、この第１の実施の形態の装置は、小害虫も除去の対象にできる。この小害虫は、施設栽培において発生する有翅の小害虫全般であり、例えば、アブラムシ類、アザミウマ類、ハモグリバエ類、ハモグリガ類、コナジラミ類、コナガ等が例示できる。また、有翅の小害虫に寄生して農園芸用作物に寄生する小害虫(ダニ類)も例示できる。【００８４】
＜＜＜第２の実施の形態＞＞＞
＜＜植物保護装置１５＞＞
図５は、本発明に係る植物保護装置１５の概略を示す斜視図である。
＜植物配置区域２０＞
図５に示した破線によって囲まれた領域が植物配置区域２０である。植物配置区域２０は、植物保護装置１５内の略中央部に位置する。植物配置区域２０は、植物を育成したり生存させたりするのに適した環境であればよい。植物配置区域２０は、特に、植物の種類に応じて、十分に光を照射するとともに、空気を十分に供給できる環境であればよい。また、植物の大きさに応じて十分な領域を確保でき、植物の種類に応じて、温度や湿度が十分に調節された環境にできるのが好ましい。【００８５】
＜囲繞部３０＞
囲繞部３０は、上述した植物配置区域２０を囲む。図５に示した例では、囲繞部３０は、直方体であり、正面壁３２ａ、背面壁３２ｂ、右側面壁３２ｃ、左側面壁３２ｄ、上面３２ｅ、及び下面３２ｆからなる。正面壁３２ａ、背面壁３２ｂ、右側面壁３２ｃ、左側面壁３２ｄ、及び上面３２ｅは、光を十分に透過させることができる透明な部材からなるのが好ましい。例えば、アクリル樹脂のような透明なプラスチックのほか、透明なガラスからなるのが好ましい。【００８６】
正面壁３２ａと背面壁３２ｂとの双方には、植物配置区域２０に配置された植物に空気を供給するための開口３４ａと３４ｂとが形成されている。開口３４ａ及び３４ｂの各々の外側には、開口３４ａ及び３４ｂを覆うように、後述する飛動生物除去装置１００、２００、３００又は４００が設置されている。なお、図５では、飛動生物除去装置１００、２００、３００又は４００の１つの例として、飛動生物除去装置１００の導電体１１２のみを示した。【００８７】
なお、本実施の形態では、図５に示したように、囲繞部３０の形状が直方体であるものを示したが、このような形状には限られず、植物配置区域２０に配置された植物に対して適切な環境を提供できるものであればよく、囲繞部３０は、曲面で形成されたものでもよい。【００８８】
＜飛動生物除去装置１００、２００、３００、４００＞
上述したように、正面壁３２ａの開口３４ａと、背面壁３２ｂの開口３４ｂとには、後述する飛動生物除去装置１００、２００、３００又は４００が配置されている。【００８９】
後述するように、飛動生物除去装置１００及び３００は、導電体１１２と誘電被覆体１２２とを有する誘電被覆導電体１４０を含む。飛動生物除去装置２００は、導電体１１２ａ及び誘電被覆体１２２ａを有する誘電被覆導電体１４０ａと、導電体１１２ｂ及び誘電被覆体１２２ｂを有する誘電被覆導電体１４０ｂとを含む。飛動生物除去装置４００は、導電体１１２ａ及び誘電被覆体５２２ａを有する誘電被覆導電体５４０ａと、導電体１１２ｂ及び誘電被覆体５２２ｂを有する誘電被覆導電体５４０ｂとを含む。【００９０】
なお、上述した図５に示した植物保護装置１５では、正面壁３２ａと背面壁３２ｂとの略全面に亘って開口３４ａ及び３４ｂが形成され、これらの２つの開口３４ａ及び３４ｂを覆うように、飛動生物除去装置１００、２００、３００又は４００を取り付けた場合を示した。これに対して、植物配置区域２０に配置された植物の種類や数によっては、正面壁３２ａと背面壁３２ｂとの一部の領域のみに開口を形成すればよい場合もある。このような場合には、形成した開口の大きさに応じた大きさを有する飛動生物除去装置１００、２００、３００又は４００を取り付ければよい。飛動生物除去装置１００、２００、３００又は４００は、形成した開口の全体を覆うことで、植物配置区域２０に配置された植物に適切な空気を供給できればよい。【００９１】
また、図５に示した植物保護装置１５では、正面壁３２ａと背面壁３２ｂとの二箇所のみに、飛動生物除去装置１００、２００、３００又は４００を取り付けた場合を示したが、他の右側面壁３２ｃ、左側面壁３２ｄ、上面３２ｅ等に飛動生物除去装置１００、２００、３００又は４００を取り付けてもよい。植物配置区域２０に配置された植物の種類や数に応じて、植物に、十分に光を照射できるとともに、空気を十分に供給できればよく、飛動生物除去装置１００、２００、３００又は４００の数や大きさ、飛動生物除去装置１００、２００、３００又は４００を配置する位置については、植物の種類や数等に応じて適宜定めればよい。【００９２】
植物保護装置１５の適用例としては、温室やビニールハウスなどとして使用するもの、又は温室やビニールハウスなどの内部に置いて使用するものなどが挙げられる。即ち、植物保護装置１５を温室やビニールハウスなどとして使用する場合には、飛動生物除去装置１００、２００、３００又は４００を、植物保護装置１５の開口部に取付けて使用することできる。また、植物保護装置１５を温室やビニールハウスなどの内部に置いて使用する場合には、温室やビニールハウスなどの内部に設置された、植物を育成する箱に、飛動生物除去装置１００、２００、３００又は４００を取付けて使用することができる。【００９３】
＜＜飛動生物除去装置１００＞＞
図６は、飛動生物除去装置１００の概略を示す斜視図であり、図７は、飛動生物除去装置１００の概略を示す断面図である。なお、図６に示した飛動生物除去装置１００は、構成を明確に示すために、後述する筐体１５０を破線で示して、簡略化した。また、図７は、上述した植物保護装置１５の正面壁３２ａの開口３４ａに、飛動生物除去装置１００が取り付けられたものを１つの例として示した。
飛動生物除去装置１００は、筐体１５０と、導体１１０と、誘電体１２０と、電源１３０とを含む。後述するように、導体１１０と、誘電体１２０とから誘電被覆導電体１４０が構成される。【００９４】
＜筐体１５０＞
飛動生物除去装置１００の筐体１５０は、２つの側部１６２ａ及び１６２ｂと、天部１６４及び底部１６６とからなる。【００９５】
２つの側部１６２ａと１６２ｂとは、略同じ形状を有し、略長方形の薄板からなる。２つの側部１６２ａと１６２ｂとは、互いに略平行に離隔して配置されている。また、天部１６４と底部１６６とは、略同じ形状を有し、略長方形の薄板からなる。天部１６４と底部１６６とは、互いに略平行に離隔して配置されている。【００９６】
これらの２つの側部１６２ａ及び１６２ｂと、天部１６４及び底部１６６とは、電気的に絶縁された材料、例えば透明なプラスチックからなる。筐体１５０に透明なものを用いることによって、飛動生物除去装置１００が、植物保護装置１５に取り付けられたときに、光を遮ることなく、植物保護装置１５内の植物に光を的確に照射することができる。【００９７】
２つの側部１６２ａ及び１６２ｂと、天部１６４及び底部１６６とによって、飛動生物除去装置１００の正面１６８ａと背面１６８ｂとが形成される。すなわち、正面１６８ａと背面１６８ｂとは、２つの側部１６２ａ及び１６２ｂと、天部１６４及び底部１６６とによって囲まれた領域に形成され、正面１６８ａと背面１６８ｂとの各々の全面は、開放されている。この正面１６８ａと背面１６８ｂとは、互いに向かい合うように位置し、この正面１６８ａと背面１６８ｂとを介して、空気を流通させることができる。この正面１６８ａと背面１６８ｂとが、「筐体開口」に対応する。【００９８】
飛動生物除去装置１００が、上述した植物保護装置１５に取り付けられたときには、図７に示すように、飛動生物除去装置１００の背面１６８ｂが、植物保護装置１５の開口３４ａや３４ｂとおおよそ整合する。したがって、飛動生物除去装置１００の正面１６８ａ及び背面１６８ｂと、植物保護装置１５の開口３４ａとを介して、空気が流通でき、飛動生物除去装置１００を介して、植物保護装置１５に空気を供給することができる。また、同様に、飛動生物除去装置１００の正面１６８ａ及び背面１６８ｂと、植物保護装置１５の開口３４ｂとを介して、空気が流通でき、飛動生物除去装置１００を介して、植物保護装置１５に空気を供給することができる。植物保護装置１５の開口３４ａと３４ｂとが、「流通開口」に対応する。【００９９】
図７に示すように、飛動生物除去装置１００は、植物保護装置１５の正面壁３２ａの外側の面に、正面壁３２ａに形成された開口３４ａを覆うように取り付けられている。上述したように、飛動生物除去装置１００が植物保護装置１５（図示せず）に取り付けられたときには、飛動生物除去装置１００の背面１６８ｂは、植物保護装置１５の開口３４ａと整合する。図７では、図面の左方向が、植物保護装置１５の外側であり、図面の右方向が、植物保護装置１５の内側であり、植物配置区域２０（図示せず）が存在する。図７に示した矢印は、植物保護装置１５の外側から内部に向かって、飛動生物除去装置１００を介して流入する空気の流れを示す。【０１００】
＜導体１１０（導電体１１２）＞
上述したように、飛動生物除去装置１００は、導体１１０を含む。第２の実施の形態の飛動生物除去装置１００では、導体１１０は、９本の導電体１１２からなる。これらの９本の導電体１１２によって、「少なくとも１つの導体」及び「複数の導電体」が構成される。【０１０１】
図６又は図７に示すように、９本の導電体１１２の各々は、まっすぐに延びた長尺かつ略直線状の形状を有する。具体的には、９本の導電体１１２の各々は、略棒状形状を有する。図７では、９本の導電体１１２の断面が描かれている。図７に示すように、９本の導電体１１２の各々の断面の形状は、略円形である。なお、９本の導電体１１２の各々の形状は、直線状である場合には限られず、一定の形状を保つことができるものであればよく、例えば、一定の曲線に沿った湾曲した形状を有するものでもよい。【０１０２】
９本の導電体１１２の各々は、筐体１５０の２つの側部１６２ａと１６２ｂとの間で、水平方向に（図７の紙面に対して垂直な方向）に配置されている。９本の導電体１１２の各々をこのように配置することで、９本の導電体１１２の各々は、水平方向にまっすぐに延びる長尺な導電線となる。【０１０３】
さらに、９本の導電体１１２は、垂直方向（図７の紙面上の上下方向）に沿って、互いに離隔し、隣り合うものの間隔が所定の間隔となるように、配置されている。９本の導電体１１２を、このように配置することで、図７に示す第１の面１１４に沿うように配置される。なお、第１の面１１４については、後述する。【０１０４】
９本の導電体１１２同士は、筐体１５０の２つの側部１６２ａ又は１６２ｂで、図示しない電線によって、互いに電気的に接続されている。このようにすることで、９本の導電体の各々の電位は、常に同電位となる。【０１０５】
＜誘電体１２０（誘電被覆体１２２）＞
上述したように、飛動生物除去装置１００は、誘電体１２０を含む。第２の実施の形態の飛動生物除去装置１００では、誘電体１２０は、９本の誘電被覆体１２２からなる。これらの９本の誘電被覆体１２２によって、「少なくとも１つの誘電体」及び「複数の誘電被覆体」が構成される。【０１０６】
図６又は図７に示すように、９本の誘電被覆体１２２の各々は、まっすぐに延びた長尺かつ略円筒状の形状を有する。図７では、９本の誘電被覆体１２２の断面が描かれている。図７に示すように、９本の誘電被覆体１２２の各々の断面の形状は、略円環状である。なお、９本の誘電被覆体１２２の各々の形状は、まっすぐに延びた形状である場合には限られず、一定の形状を保つことができるものであればよく、例えば、一定の曲線に沿った湾曲した形状を有するものでもよい。【０１０７】
９本の誘電被覆体１２２の各々は、筐体１５０の２つの側部１６２ａと１６２ｂとの間に水平方向（図７の紙面に対して垂直な方向）に配置されている。９本の誘電被覆体１２２の各々の一の端部は、筐体１５０の側部１６２ａによって保持され、９本の誘電被覆体１２２の各々の他の端部は、筐体１５０の側部１６２ｂによって保持されている。このようにすることで、９本の誘電被覆体１２２の各々を、筐体１５０の２つの側部１６２ａと１６２ｂとの間で、支持することができる。【０１０８】
さらに、９本の誘電被覆体１２２は、垂直方向（図７の紙面上の上下方向）に沿って、互いに離隔し、隣り合うものの間隔が所定の間隔となるように、配置されている。９本の誘電被覆体１２２を、このように配置することで、図７に示す第１の面１１４に沿うように配置される。なお、第１の面１１４については、後述する。【０１０９】
誘電体１２０は、誘電性を有する材料からなる。すなわち、誘電体１２０は、電気を通さないもの、いわゆる絶縁体とされているものであればよい。誘電体１２０の材質は、例えば、塩化ビニル、ポリエチレン、ポリプロピレン、ウレタン、ポリエステル、レーヨン、セルロース、ゴム等が挙げられる。特に、誘電体１２０が透明になるような材質にするのが好ましい。誘電体１２０を透明にすることで、図７に示すように、飛動生物除去装置１００が、植物保護装置１５に取り付けられたときに、誘電体１２０が光を遮ることなく、植物保護装置１５内の植物に光を的確に照射することができる。また、誘電体１２０が透明でなくても、光を５０％以上透過させるものが好ましく、植物保護装置１５に取り付けられたときに、植物保護装置１の正面壁３２ａの開口３４ａ全体における透過度が、５０％以上になるように設置する。さらに、誘電体１２０が透明でない場合には、誘電被覆体１２２の本数や太さで、植物保護装置１５の正面壁３２ａの開口３４ａ全体における光の透過度を調節するのが好ましい。【０１１０】
＜誘電被覆導電体１４０＞
上述したように、導体１１０と、誘電体１２０とから誘電被覆導電体１４０が構成される。具体的には、１本の誘電被覆導電体１４０は、１本の導電体１１２と１本の誘電被覆体１２２とから構成される。すなわち、この第２の実施の形態の飛動生物除去装置１００では、１本の誘電被覆体１２２と、１本の導電体１１２とが対になるように構成されている。【０１１１】
図８は、１本の誘電被覆導電体１４０の構成を示す斜視図である。また、図９（ａ）は、１本の誘電被覆導電体１４０の構成を示す断面図である。
１本の誘電被覆導電体１４０は、１本の導電体１１２と、１本の誘電被覆体１２２と、２つの支持部材１４２とを含む。【０１１２】
上述したように、誘電被覆体１２２は、まっすぐに延びた長尺な略円筒状の形状を有する。すなわち、誘電被覆体１２２の内側には、軸線方向に沿った長尺な空間が形成されている。また、誘電被覆体１２２の両端には、略円形の開口１２４が形成されている。【０１１３】
図８に示すように、１本の誘電被覆体１２２の内側に形成された長尺な空間には、上述した１本の導電体１１２が、誘電被覆体１２２の長手方向に沿うように配置される。【０１１４】
上述した誘電被覆体１２２の両端の開口１２４には、導電体１１２を支持するための支持部材１４２が設けられている。支持部材１４２は、第１の端面１４４と第２の端面１４６との２つの端面を有する略円錐台状の形状を有する。支持部材１４２の第１の端面１４４と第２の端面１４６とは、略円形状の形状を有する。第１の端面１４４の直径は、誘電被覆体１２２の直径よりも短くなるように、第２の端面１４６の直径は、誘電被覆体１２２の直径よりも長くなるように、支持部材１４２は形成されている。また、支持部材１４２には、第１の端面１４４の略中心と第２の端面１４６の略中心とを通り、かつ、支持部材１４２の中心軸方向に沿うように、貫通孔１４８が形成されている。貫通孔１４８は、貫通孔１４８の直径が、導電体１１２の直径よりも若干小さくなるように形成されている。この支持部材１４２は、若干変形できるように、ゴム等の弾性部材で構成されている。【０１１５】
図８に示すように、支持部材１４２の貫通孔１４８に通された導電体１１２は、支持部材１４２の弾性力によって、支持部材１４２に支持される。誘電被覆体１２２の２つの開口１２４には、支持部材１４２の第１の端面１４４が押入されることで、支持部材１４２は、支持部材１４２の弾性力によって２つの開口１２４の各々に固定される。このようにすることで、図８及び図９（ａ）に示すように、誘電被覆体１２２の内側に形成された長尺な空間に、誘電被覆体１２２の長手方向に沿うように、導電体１１２を配置して保持することができる。具体的には、誘電被覆体１２２の軸心線上に沿うように、かつ、誘電被覆体１２２と導電体１１２とが離隔するように、誘電被覆体１２２に導電体１１２を配置して保持することができる。【０１１６】
このように構成することで、導電体１１２を誘電被覆体１２２によって覆うことができる。図６又は図７に示すように、９本の誘電被覆体１２２の各々には、１本ずつ導電体１１２が、同様に配置され、９本の誘電被覆導電体１４０が構成される。【０１１７】
９本の誘電被覆導電体１４０を、このような形状としたことにより、垂直方向に関しては小さくすることできるとともに、表面積を大きくすることができる。垂直方向に小さくできるので、飛動生物除去装置１００の厚さ（図７の左右方向の長さ）を薄くすることができる。また、上述したように、９本の誘電被覆体１２２を透明な材質にした場合には、飛動生物除去装置１００が、植物保護装置１５に取り付けられたときに、光を遮ることなく、植物保護装置１５内の植物に光を的確に照射することができる。【０１１８】
また、９本の誘電被覆導電体１４０を、このような形状としたことにより、飛動生物除去装置１００を介して空気を植物に供給するときに、９本の誘電被覆導電体１４０の外周面によって、その空気の流れを曲げたり、空気を回転させたり、うずを生じさせたりすることができる。空気の流れを曲げたり、空気の流れに回転成分を与えたりすることによって、上述した９本の誘電被覆導電体１４０の誘電分極によって生じた電界が有効に存在する領域に飛動可能な生物を存在させる機会を増やすことができ、的確に飛動可能な生物を捕捉することができる。【０１１９】
さらに、上述したように、９本の誘電被覆体１２２を、垂直方向（図７の紙面上の上下方向）に沿って、互いに離隔し、隣り合うものの間隔が所定の間隔となるように、配置したので、図６又は図７に示すように、９本の誘電被覆導電体１４０も、垂直方向に沿って互いに離隔するように配置される。すなわち、隣り合う誘電被覆導電体１４０の間に間隙が生ずるように、いわゆる簾状に、９本の誘電被覆導電体１４０は配置される。このようにすることで、隣り合う誘電被覆導電体１４０の間に形成された間隙を介して、植物保護装置１５に空気を十分に供給することできるとともに、この間隙を介して、植物保護装置１５に配置された植物に光を照射することもできる。さらに、上述したように、９本の誘電被覆体１２２が透明な部材からなるときには、誘電被覆導電体１４０の間に形成された間隙のみならず、９本の誘電被覆体１２２を介しても、植物保護装置１５に配置された植物に光を照射することもできる。【０１２０】
９本の誘電被覆体１２２の各々の太さや、隣り合う誘電被覆体１２２の間隔は、導電体１１２に印加する電圧や、飛動生物除去装置１００を通過する空気量等により、適宜定めればよい。【０１２１】
上述した図８や図９（ａ）に示したように、誘電被覆体１２２と導電体１１２とが離隔している場合、すなわち、誘電被覆体１２２が、直接導電体１１２に接していない場合には、例えば、誘電被覆体１２２をアクリル製シリンダーとし、誘電被覆体１２２の太さを１０ｃｍ以下にするのが好ましい。誘電被覆体１２２の太さは、より好ましくは６ｃｍ以下、更に好ましくは４ｃｍ以下である。一方、導電体１１２は、誘電被覆体１２２を誘電分極できる位置に配置すればよい。すなわち、誘電被覆体１２２の内部に配置する導電体１１２の太さは、誘電被覆体１２２の太さに応じて決めることができる。この導電体１１２は、無垢の銅線であっても、銅パイプで有ってもよい。【０１２２】
また、隣り合う誘電被覆体１２２同士の間隔は、導電体１１２に印加する電圧や、誘電被覆体１２２の太さや、飛動生物除去装置１００を通過する空気量等により、適宜定めればよい。例えば、隣り合う誘電被覆体１２２同士の間隔は、１０ｃｍ以下が好ましく、８ｃｍ以下がより好ましく、６ｃｍ以下が更に好ましい。【０１２３】
＜第１の面１１４＞
上述した第１の面１１４を特定する手法を以下に述べる。
まず、９本の誘電被覆導電体１４０の各々の形状を、１本の線の形状によって特定する。これは、１本の誘電被覆導電体１４０の長手方向に垂直な面における誘電被覆導電体１４０の中心を定め、この中心を誘電被覆導電体１４０の長手方向に沿って結ぶことによって、誘電被覆導電体１４０について、１本の線を定めることができる。このようにして、９本の誘電被覆導電体１４０の各々を特徴付ける線を、１本ずつ決定できる。なお、第１の実施の形態では、９本の誘電被覆導電体１４０の各々は、上述したように、まっすぐに延びた形状を有するので、９本の誘電被覆導電体１４０の各々を特徴付ける線も、直線となる。【０１２４】
次いで、９本の誘電被覆導電体１４０の各々の形状を特徴付けるための線がおおよそ含まれるような１つの面を特定することによって、第１の面１１４を定めることができる。なお、この第１の面１１４の特定は、これらの線の全てが常に含まれるような厳密な面を想定する必要はなく、おおよそ含まれる１つの面を第１の面１１４とすればよい。なお、第１の実施の形態では、９本の誘電被覆導電体１４０の各々の形状を特徴付けるための線は、上述したように、直線であるので、第１の面１１４の形状も、１つの平面となる。【０１２５】
なお、図７に示した例では、９本の誘電被覆導電体１４０の全体の形状を特徴付ける第１の面１１４は、平面である場合を示したが、第１の面１１４は、平面である場合に限られず、曲面でもよい。９本の誘電被覆導電体１４０は、一定の面に沿うように配置されていればよい。【０１２６】
なお、９本の誘電被覆導電体１４０の各々の外側は、９本の誘電被覆体１２２によって画定されるので、９本の誘電被覆体１２２によって第１の面を特定しても、第１の面１１４と一致する。【０１２７】
また、導電体１１２が、誘電被覆導電体１４０の軸心線に沿って配置されれば、９本の導電体１１２によって第１の面を特定しても、同様に、第１の面１１４と一致する。【０１２８】
＜電源１３０＞
電源１３０は、所定の直流電圧を出力することができるプラス端子とマイナス端子とを有する。
導体１１０を構成する９本の導電体１１２の各々は、電源１３０のマイナス端子に接続されている。また、第１の実施の形態では、電源１３０のプラス端子は、接地されている。【０１２９】
９本の導電体１１２に印加する直流電圧は、９本の導電体１１２の各々の間隔や、９本の誘電被覆体１２２の直径の材質や、９本の誘電被覆体１２２の間を通過する空気の風量などによって適宜決めればよい。例えば、病害虫等の飛動可能な生物に対して高圧を印加でき、かつ飛動可能な生物を捕捉できる電圧であればよい。具体的には、９本の導電体１１２に印加する直流電圧は、１〜４０ｋＶが好ましく、３〜３０ｋＶがより好ましく、５〜２０ｋＶがさらに好ましい。印加する直流電圧が１〜４０ｋＶである場合には、第１の導体と第２の導体との間で飛動可能な生物を的確に除去することができる。一方、印加する直流電圧が低すぎる場合には、飛動可能な生物に誘電分極を生じさせない可能性があるため好ましくない。【０１３０】
９本の導電体１１２に直流電圧を印加することによって、９本の導電体１１２の周囲に静電界を生じさせることができる。上述したように、９本の導電体１１２の各々は、誘電被覆体１２２によって覆われている。このため、９本の導電体１１２から生じた静電界は、９本の誘電被覆体１２２の内部に及び、９本の誘電被覆体１２２に誘電分極を生じさせることができる。９本の誘電被覆体１２２に生じた誘電分極によって、さらに、９本の誘電被覆体１２２の周囲に電界を生じさせることができる。この９本の誘電被覆体１２２の周囲に生じる電界は、誘電被覆体１２２は略円筒形状であるため、強さが位置によって異なる電界（不平等電界、不均一場）となる。このような電界を生じさせることによって、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことできる。このような電界を生じさせることで、クーロン力やグレーディエント力を飛動可能な生物に及ぼして、飛動可能な生物を移動させにくくすることができる。このようにすることで、９本の誘電被覆体１２２の誘電分極により生ずる電界によって、静電スクリーンを形成し、この静電スクリーンによって飛動可能な生物を的確に捕捉することができる。【０１３１】
この第２の実施の形態では、電源１３０として直流高電圧発生装置を用いた。このようにすることで、一定の高電圧を導体１１０に印加することができ、９本の誘電被覆体１２２の周囲に生じる電界によって、飛動可能な生物は捕捉され、植物保護装置１５の植物配置区域２０に侵入することを防止することができる。【０１３２】
上述した植物保護装置１５は、自然換気させても、強制換気させてもよい。強制換気の場合の風速は、９本の誘電被覆導電体１４０同士の間隔や、９本の導電体１１２に印加する電圧や、９本の誘電被覆体１２２の直径等により適宜決定すればよい。例えば、植物保護装置１５の開口３４ａや３４ｂについて、１ｍ２あたり１〜６００ｍ３／分が例として挙げられる。【０１３３】
＜誘電被覆導電体１４０’＞
上述した図９（ａ）は、２つの支持部材１４２（図８参照）によって、誘電被覆体１２２と導電体１１２とが離隔するように、導電体１１２を誘電被覆体１２２の内部に配置した誘電被覆導電体１４０を示した。【０１３４】
これに対して、図９（ｂ）に示すように、誘電被覆体１２２’と導電体１１２とが密着するように、導電体１１２を誘電被覆体１２２’に配置した誘電被覆導電体１４０’としてもよい。このようにすることで、誘電被覆導電体１４０’の直径を小さくできるので、飛動生物除去装置１００の厚さ（図７の左右方向の長さ）をさらに薄くすることができる。また、誘電被覆導電体１４０’の外周面の曲率を大きくできるので、誘電被覆導電体１４０’によって生ずる静電界の位置変化率をさらに大きくできる。このようにすることで、グレーディエント力をさらに大きくすることができ、飛動可能な生物をより捕捉しやすくできる。【０１３５】
なお、誘電被覆体１２２’と導電体１１２とが密着するような態様として、電気配線で使用する被覆銅線や、誘電性の材料で被覆された被覆銅板などがある。【０１３６】
９本の誘電被覆体１２２’の各々の太さや、隣り合う誘電被覆体１２２の間隔は、導電体１１２に印加する電圧や、飛動生物除去装置１００を通過する空気量等により、適宜定めればよい。【０１３７】
上述した図９（ｂ）に示したように、誘電被覆体１２２’と導電体１１２とが密着している場合、すなわち、誘電被覆体１２２’が、直接導電体１１２に接している場合には、例えば、誘電被覆導電体１４０’を塩ビ被覆銅線とし、太さを１０ｍｍ以下にするのが好ましい。誘電被覆導電体１４０’の太さは、より好ましくは６ｍｍ以下、更に好ましくは４ｍｍ以下である。一方、誘電被覆体１２２’の内部に配置する導電体１１２の太さは、誘電被覆体１２２’の太さに応じて決めることができる。【０１３８】
また、隣り合う誘電被覆体１２２’同士の間隔は、導電体１１２に印加する電圧や、誘電被覆体１２２’の太さや、飛動生物除去装置１００を通過する空気量等により、適宜定めればよい。例えば、隣り合う誘電被覆体１２２’同士の間隔は、６ｃｍ以下が好ましく、４ｃｍ以下がより好ましく、２ｃｍ以下が更に好ましい。誘電被覆体が、導電体１１２と直接接していない場合と比較して、隣り合う誘電被覆体１２２’同士の間隔を短くしたのは、誘電被覆体１２２’が、導電体１１２と直接接している場合には、誘電被覆体１２２’の直径が小さくなる場合が多く、その分、間隔を短くすることで、誘電被覆体１２２’の誘電分極によって生ずる電界を、隣り合う誘電被覆体１２２’の間に有効に存在させることができる。【０１３９】
＜誘電被覆体２２２、３２２、４２２＞
図１０（ａ）〜図１０（ｃ）は、誘電被覆体の第２〜第４の例を示す斜視図である。なお、図１０（ａ）〜図１０（ｃ）では、導電体１１２と、２つの支持部材１４２を省略して示した。【０１４０】
図１０（ａ）に示す第２の例の誘電被覆体２２２と、図５（ｂ）に示す第３の例の誘電被覆体３２２と、図５（ｃ）に示す第４の例の誘電被覆体４２２とは、第１の例の誘電被覆体１２２と同様に、全体が、まっすぐに延びた長尺かつ略円筒状の形状を有する。【０１４１】
第２の例の誘電被覆体２２２の外周面には、複数の溝２２４が、誘電被覆体２２２の長手方向に沿って形成されている。また、第３の例の誘電被覆体３２２の外周面には、複数の凹み又は貫通孔３２４が形成されている。このように、第３の例の誘電被覆体３２２の場合には、凹みだけでなく貫通孔を形成してもよい。なお、貫通孔を形成するときには、内側に配置された導電体１１２によって放電しないように、隣り合う導電体１１２との距離や、印加する電圧を定めるのが好ましい。【０１４２】
このような複数の溝２２４や複数の凹みや貫通孔３２４を外周面に形成することで、９本の誘電被覆体２２２や３２２の誘電分極によって生じさせる電界の強度をさらに不均一にすることができる。このような電界を生じさせることによって、さらに大きいグレーディエント力を飛動可能な生物に及ぼすことができ、飛動可能な生物をさらに移動させにくくして捕捉することができる。【０１４３】
また、複数の溝２２４や複数の凹みや貫通孔３２４によって、誘電被覆体２２２や３２２の外周面の近くを流れる空気の流れをより大きく曲げたり、空気をより回転させたり、うずをより生じさせたりすることができ、電界が有効に存在する領域に飛動可能な生物を存在させる機会をさらに増やすことができ、的確に飛動可能な生物を捕捉することができる。
さらに、図１０（ｃ）に示す誘電被覆体４２２は、誘電性の繊維状の材料によって成型されている。このようにしても、さらに強度が不均一な電界を生じさせることができ、さらに大きいグレーディエント力を飛動可能な生物に及ぼすことができ、飛動可能な生物をさらに移動させにくく捕捉することができる。【０１４４】
また、繊維状の材料を用いたことで、空気の流通を良くするとともに、空気の流れをより大きく曲げたり、空気をより回転させたり、うずをより多く生じさせることができる。【０１４５】
なお、飛動生物除去装置１００では、９本の誘電被覆導電体１４０の各々が水平方向に配置された場合を示したが、複数本の誘電被覆導電体１４０は、植物配置区域２０に配置された植物に光を照射し、空気を供給することができるように、配置すればよく、水平方向に配置する場合のみならず、垂直方向や、斜め方向に配置してもよい。【０１４６】
＜＜＜第３の実施の形態＞＞＞
＜＜飛動生物除去装置２００＞＞
図１１は、飛動生物除去装置２００の概略を示す断面図である。なお、図１１は、上述した植物保護装置１５の正面壁３２ａの開口３４ａに、飛動生物除去装置２００が取り付けられたものを１つの例として示した。
飛動生物除去装置１００は、筐体１５０と、導体１１０ａ及び１１０ｂと、誘電体１２０ａ及び１２０ｂと、電源１３０とを含む。後述するように、導体１１０ａと誘電体１２０ａとから誘電被覆導電体１４０ａが構成され、導体１１０ｂと誘電体１２０ｂとから誘電被覆導電体１４０ｂが構成される。
なお、筐体１５０と、電源１３０とは、飛動生物除去装置１００のものと同様の構成であり、同様の機能を有するので説明を省略する。【０１４７】
＜導体１１０ａ、１１０ｂ＞
上述したように、飛動生物除去装置２００は、導体１１０ａと１１０ｂとを含む。導体１１０ａは、９本の導電体１１２ａからなる。導体１１０ｂは、９本の導電体１１２ｂからなる。これらの９本の導電体１１２ａと１１２ｂとは、飛動生物除去装置１００の９本の導電体１１２と同様の構成である。これらの９本の導電体１１２ａと１１２ｂとは、電源１３０に電気的に接続されている。これらの９本の導電体１１２ａ及び１１２ｂによって、「少なくとも１つの導体」及び「複数の導電体」が構成される。【０１４８】
＜誘電体１２０ａ、１２０ｂ＞
上述したように、飛動生物除去装置２００は、誘電体１２０ａと１２０ｂとを含む。誘電体１２０ａは、９本の誘電被覆体１２２ａからなる。誘電体１２０ｂは、９本の誘電被覆体１２２ｂからなる。これらの９本の誘電被覆体１２２ａと１２２ｂとは、飛動生物除去装置１００の９本の誘電被覆体１２２と同様の構成である。これらの９本の誘電被覆体１２２ａと１２２ｂとから、「少なくとも１つの誘電体」及び「複数の誘電被覆体」が構成される。【０１４９】
＜誘電被覆導電体１４０ａ、１４０ｂ＞
９本の導電体１１２ａと９本の誘電被覆体１２２ａとから９本の誘電被覆導電体１４０ａが構成され、９本の導電体１１２ｂと９本の誘電被覆体１２２ｂとから９本の誘電被覆導電体１４０ｂが構成される。したがって、９本の誘電被覆導電体１４０ａと１４０ｂとの各々は、飛動生物除去装置１００の９本の誘電被覆導電体１４０と同様の構成である。【０１５０】
９本の誘電被覆導電体１４０ａや、９本の誘電被覆導電体１４０ｂの配置の仕方は、飛動生物除去装置１００の９本の誘電被覆導電体１４０のものと同じように、垂直方向に沿って互いに離隔するように配置される。すなわち、隣り合う２つの誘電被覆導電体１４０ａの間に間隙が生ずるように、いわゆる簾状に、９本の誘電被覆導電体１４０ａは配置される。同様に、隣り合う２つの誘電被覆導電体１４０ｂの間に間隙が生ずるように、いわゆる簾状に、９本の誘電被覆導電体１４０ｂは配置される。【０１５１】
この９本の誘電被覆導電体１４０ａから、１つの「誘電被覆導電体群」が構成され、９本の誘電被覆導電体１４０ｂから、１つの「誘電被覆導電体群」が構成される。特に、９本の誘電被覆導電体１４０ａから、「第１の誘電被覆導電体群」が構成され、９本の誘電被覆導電体１４０ｂから、「第２の誘電被覆導電体群」が構成される。【０１５２】
１本の誘電被覆導電体１４０ａは、１本の導電体１１２ａと１本の誘電被覆体１２２ａとから構成される。すなわち、この飛動生物除去装置２００では、１本の誘電被覆体１２２ａと、１本の導電体１１２ａとが対になるように構成されている。同様に、１本の誘電被覆導電体１４０ｂは、１本の導電体１１２ｂと１本の誘電被覆体１２２ｂとから構成される。すなわち、この飛動生物除去装置２００では、１本の誘電被覆体１２２ｂと、１本の導電体１１２ｂとが対になるように構成されている。【０１５３】
図１１に示すように、飛動生物除去装置２００の垂直方向（図１１の紙面の上下方向）の配置に関して、９本の誘電被覆導電体１４０ａのうち隣り合うもの同士の間に、９本の誘電被覆導電体１４０ｂのうちの１本の誘電被覆導電体１４０ｂが配置される、いわゆる互い違いに配置されるのが好ましい。また、９本の誘電被覆導電体１４０ｂを基準にしたときには、９本の誘電被覆導電体１４０ｂのうち隣り合うもの同士の間に、９本の誘電被覆導電体１４０ａのうちの１本の誘電被覆導電体１４０ｂが配置されるように、互い違いに配置されるのが好ましい。【０１５４】
このように配置することで、９本の誘電被覆体１２２ａと１２２ｂとに生じた誘電分極によって、９本の誘電被覆体１２２ａと１２２ｂとの周囲に電界を生じさせることができ、電界が生ずる範囲を広げることができる。このため、９本の誘電被覆体１２２ａの誘電分極によって生ずる電界によって、第１の静電スクリーンを形成し、９本の誘電被覆体１２２ｂの誘電分極によって生ずる電界によって、第２の静電スクリーンを形成することができ、これらの２つの静電スクリーンによって飛動可能な生物をより的確に捕捉することができる。【０１５５】
なお、飛動生物除去装置２００では、９本の誘電被覆導電体１４０ａと１４０ｂとから、２つの「誘電被覆導電体群」が構成される場合を示したが、これに限られず、３つ以上の「誘電被覆導電体群」が構成されるようにしてもよい。このようにすることで、３つ以上の静電スクリーンを形成することができ、飛動可能な生物をさらにより的確に捕捉することができる。【０１５６】
なお、飛動生物除去装置２００では、９本の誘電被覆導電体１４０ａと１４０ｂとの各々が水平方向に配置された場合を示したが、複数本の誘電被覆導電体１４０ａと１４０ｂは、植物配置区域２０に配置された植物に光を照射し、空気を供給することができるように、配置すればよく、水平方向に配置する場合のみならず、垂直方向や、斜め方向に配置してもよい。また、９本の誘電被覆導電体１４０ａは、水平方向に配置し、９本の誘電被覆導電体１４０ｂは、垂直方向に配置するように、９本の誘電被覆導電体１４０ａと９本の誘電被覆導電体１４０ｂとを互いに異なる方向に配置してもよい。【０１５７】
図１１には、９本の誘電被覆導電体１４０ａの全体の形状を特徴付ける第１の面１１４ａと、９本の誘電被覆導電体１４０ｂの全体の形状を特徴付ける第１の面１１４ｂとを破線で示した。この第１の面１１４ａと１１４ｂとは、飛動生物除去装置２００と同様の手法により特定することができる。【０１５８】
なお、９本の誘電被覆導電体１４０ａの各々の外側は、９本の誘電被覆体１２２ａによって画定できるので、９本の誘電被覆体１２２ａによって第１の面を特定しても、第１の面１１４ａと一致する。９本の誘電被覆体１２２ｂについても同様である。【０１５９】
また、導電体１１２ａが、誘電被覆導電体１４０ａの軸心線に沿って配置されれば、９本の導電体１１２ａによって第１の面を特定しても、同様に、第１の面１１４ａと一致する。導電体１１２ｂについても同様である。【０１６０】
第１の面１１４ａと１１４ｂとの間隔は、導電体１１２に印加する電圧や、誘電被覆体１２２の太さや、飛動生物除去装置１００を通過する空気量等により、適宜定めればよい。例えば、隣り合う誘電被覆体１２２ａ及び１２２ｂ同士の間隔は、１０ｃｍ以下が好ましく、８ｃｍ以下がより好ましく、６ｃｍ以下が更に好ましい。具体的には、隣り合う所定の２本の誘電被覆体１２２ａとこれらに最も近い誘電被覆体１２２ｂとの間の互いの間隔を、１０ｃｍ以下にするのが好ましく、さらに、８ｃｍ以下にするのがより好ましく、６ｃｍ以下にするのが最も好ましい。【０１６１】
＜＜＜第４の実施の形態＞＞＞
＜＜飛動生物除去装置３００＞＞
図１２は、飛動生物除去装置３００の概略を示す断面図である。なお、図１２は、上述した植物保護装置１５の正面壁３２ａの開口３４ａに、飛動生物除去装置３００が取り付けられたものを１つの例として示した。【０１６２】
飛動生物除去装置３００は、支持体３５０と、導体１１０と、誘電体１２０と、電源１３０とを含む。なお、導体１１０と、誘電体１２０と、電源１３０とは、飛動生物除去装置１００のものと同様の構成であり、同様の機能を有するので説明を省略する。また、導体１１０と、誘電体１２０とによって、９本の誘電被覆導電体１４０が構成される点についても飛動生物除去装置１００と同様である。すなわち、隣り合う誘電被覆導電体１４０の間に間隙が生ずるように、いわゆる簾状に、９本の誘電被覆導電体１４０は配置される。【０１６３】
＜支持体３５０＞
支持体３５０は、９本の誘電被覆導電体１４０を支持する。支持体３５０は、可撓性を有する長尺な媒体であり、例えば、ひもや針金やワイヤーなどである。支持体３５０の上端部は、正面壁３２ａに固定されたフック３８に係止されている。このようにすることで、９本の誘電被覆導電体１４０は、いわゆる簾のように支持される。【０１６４】
このようにしても、９本の誘電被覆導電体１４０を構成する９本の誘電被覆体１２２の誘電分極により生ずる電界によって、静電スクリーンを形成し、この静電スクリーンによって飛動可能な生物を的確に捕捉することができる。【０１６５】
また、支持体３５０は、可撓性を有するので、飛動生物除去装置３００を、丸めたり折りたたんだりすることができ、収納を容易にしたり、着脱を容易にしたりすることができる。さらに、植物保護装置１５の正面壁３２ａの開口３４ａに飛動生物除去装置３００を、取り付けるときも、植物保護装置１５の正面壁３２ａの開口３４ａの輪郭に９本の誘電被覆導電体１４０を適合させて配置することができる。特に、雨や強風のときには、植物保護装置１５に装着された飛動生物除去装置３００を収納して正面壁３２ａの開口３４ａを閉じることによって、飛動生物除去装置３００に水滴が付かないようにしたり、強風によって飛動生物除去装置３００を分生子や小動物などが通過できないようにすることができる。【０１６６】
図１２には、９本の誘電被覆導電体１４０の全体の形状を特徴付ける第１の面１１４を破線で示した。この第１の面１１４は、飛動生物除去装置２００と同様の手法により特定することができる。【０１６７】
＜＜＜第５の実施の形態＞＞＞
＜＜飛動生物除去装置４００＞＞
上述した飛動生物除去装置１００、２００又は３００に用いた誘電被覆導電体の誘電被覆体は、図９に示したように、導電体１１２の全体を覆うものであったが、誘電被覆体は、導電体１１２の一部のみを覆うものであってもよい。図１３は、その例を示す誘電被覆導電体の断面図である。【０１６８】
図１３（ａ）は、１本の誘電被覆導電体５４０の長尺な方向に対して垂直な面における断面を示す断面図である。１本の誘電被覆導電体５４０は、１本の導電体１１２と、１本の誘電被覆体５２２と、を含む。導電体１１２は、上述した飛動生物除去装置１００、２００又は３００と同様のものである。誘電被覆体５２２は、長尺な略半円筒状の形状を有する。本明細書において、略半円筒状とは、略円筒状のものの軸心線を含む面で、略半分に分けたときに形成される片方の形状をいう。【０１６９】
誘電被覆体５２２は、誘電被覆体５２２の外側に位置する外面５２４と、内側に位置する内面５２６とを含む。【０１７０】
誘電被覆体５２２の内面５２６の側に、導電体１１２が長手方向に沿って配置され、誘電被覆導電体５４０が構成される。誘電被覆導電体５４０の誘電被覆体５２２を略半円筒状の形状としたことにより、導電体１１２は、誘電被覆体５２２によって略半分が覆われることになる。また、誘電被覆体５２２と導電体１１２との間には、誘電性の材料からなる支持部材（図示せず）が設けられている。このようにすることで、導電体１１２から離隔した位置に、誘電被覆体５２２を位置づけることができる。【０１７１】
図１３（ｂ）は、１本の誘電被覆導電体６４０の長尺な方向に対して垂直な面における断面を示す断面図である。１本の誘電被覆導電体６４０は、１本の導電体１１２と、１本の誘電被覆体６２２と、を含む。導電体１１２は、上述した飛動生物除去装置１００、２００又は３００と同様のものである。誘電被覆体６２２は、長尺な略半円筒状の形状を有する。【０１７２】
誘電被覆体６２２は、誘電被覆体６２２の外側に位置する外面６２４と、内側に位置する内面６２６とを含む。【０１７３】
誘電被覆体６２２の内面６２６の側に、導電体１１２が長手方向に沿って配置され、誘電被覆導電体６４０が構成される。誘電被覆導電体６４０の誘電被覆体６２２を略半円筒状の形状としたことにより、導電体１１２は、誘電被覆体６２２によって略半分が覆われることになる。また、誘電被覆体６２２は、導電体１１２と密着するように位置づけられる。【０１７４】
なお、図１３（ａ）に示した誘電被覆体５２２や、図１３（ｂ）に示した誘電被覆体６２２に、図１０（ａ）に示した複数の溝２２４を形成したり、図１０（ｂ）に示した複数の凹み又は貫通孔３２４を形成してもよい。さらに、図１３（ａ）に示した誘電被覆体５２２や、図１３（ｂ）に示した誘電被覆体６２２を、図１０（ｃ）に示した誘電性の繊維状の材料によって成型してもよい。【０１７５】
図１４は、飛動生物除去装置４００の概略を示す断面図である。なお、図１４は、上述した植物保護装置１５の正面壁３２ａの開口３４ａに、飛動生物除去装置４００が取り付けられたものを１つの例として示した。【０１７６】
この飛動生物除去装置４００は、誘電被覆体として、図１３（ａ）に示した誘電被覆体５２２を用いたものである。【０１７７】
飛動生物除去装置４００は、筐体１５０と、導体１１０ａ及び１１０ｂと、誘電体５２０ａ及び５２０ｂと、電源１３０とを含む。後述するように、導体１１０ａと誘電体５２０ａとから誘電被覆導電体５４０ａが構成され、導体１１０ｂと誘電体５２０ｂとから誘電被覆導電体５４０ｂが構成される。
なお、筐体１５０と電源１３０とは、飛動生物除去装置１００のものと同様の構成であり、同様の機能を有するので説明を省略する。【０１７８】
＜導体１１０ａ、１１０ｂ＞
上述したように、飛動生物除去装置４００は、導体１１０ａと１１０ｂとを含む。導体１１０ａは、９本の導電体１１２ａからなる。導体１１０ｂは、９本の導電体１１２ｂからなる。これらの９本の導電体１１２ａと１１２ｂとは、電源１３０に電気的に接続されている。これらの９本の導電体１１２ａ及び１１２ｂによって、「少なくとも１つの導体」及び「複数の導電体」が構成される。なお、これらの９本の導電体１１２ａと１１２ｂとは、第３の実施の形態の飛動生物除去装置２００のものと同様のものである。【０１７９】
＜誘電体５２０ａ、５２０ｂ＞
上述したように、飛動生物除去装置４００は、誘電体５２０ａと５２０ｂとを含む。誘電体５２０ａは、９本の誘電被覆体５２２ａからなる。誘電体５２０ｂは、９本の誘電被覆体５２２ｂからなる。９本の誘電被覆体５２２ａと５２２ｂとは、図１３（ａ）に示した誘電被覆体５２２と同様のものである。これらの９本の誘電被覆体５２２ａと５２２ｂとから、「少なくとも１つの誘電体」及び「複数の誘電被覆体」が構成される。【０１８０】
＜誘電被覆導電体５４０ａ、５４０ｂ＞
９本の導電体１１２ａと９本の誘電被覆体５２２ａとから９本の誘電被覆導電体５４０ａが構成され、９本の導電体１１２ｂと９本の誘電被覆体５２２ｂとから９本の誘電被覆導電体５４０ｂが構成される。９本の誘電被覆導電体５４０ａと５４０ｂとは、図１３（ａ）に示した誘電被覆体５４０と同様のものである。【０１８１】
９本の誘電被覆導電体５４０ａや、９本の誘電被覆導電体５４０ｂの配置の仕方は、飛動生物除去装置１００の９本の誘電被覆導電体１４０のものと同じように、垂直方向に沿って互いに離隔するように配置される。すなわち、隣り合う誘電被覆導電体５４０ａ及び５４０ｂの間に間隙が生ずるように、いわゆる簾状に、９本の誘電被覆導電体５４０ａ及び５４０ｂは配置される。【０１８２】
この９本の誘電被覆導電体５４０ａから、１つの「誘電被覆導電体群」が構成され、９本の誘電被覆導電体５４０ｂから、１つの「誘電被覆導電体群」が構成される。特に、９本の誘電被覆導電体５４０ａから、「第１の誘電被覆導電体群」が構成され、９本の誘電被覆導電体５４０ｂから、「第２の誘電被覆導電体群」が構成される。【０１８３】
１本の誘電被覆導電体５４０ａは、１本の導電体１１２ａと１本の誘電被覆体５２２ａとから構成される。すなわち、この飛動生物除去装置４００では、１本の誘電被覆体５２２ａと、１本の導電体１１２ａとが対になるように構成されている。同様に、１本の誘電被覆導電体５４０ｂは、１本の導電体１１２ｂと１本の誘電被覆体５２２ｂとから構成される。すなわち、この飛動生物除去装置４００では、１本の誘電被覆体５２２ｂと、１本の導電体１１２ｂとが対になるように構成されている。【０１８４】
また、飛動生物除去装置４００の垂直方向（例えば、図１４の紙面の上下方向）の配置に関して、９本の誘電被覆導電体５４０ａのうち隣り合うもの同士の間に、９本の誘電被覆導電体５４０ｂのうちの１本の誘電被覆導電体５４０ｂが配置される、いわゆる互い違いに配置されるようにしてもよい。また、９本の誘電被覆導電体５４０ｂを基準にしたときには、９本の誘電被覆導電体５４０ｂのうち隣り合うもの同士の間に、９本の誘電被覆導電体５４０ａのうちの１本の誘電被覆導電体５４０ｂが配置されるように、互い違いに配置されるようにしてもよい。【０１８５】
このように配置することで、９本の誘電被覆体５２２ａと５２２ｂとに生じた誘電分極によって、９本の誘電被覆体５２２ａと１２２ｂとの周囲に電界を生じさせることができ、電界が生ずる範囲を広げることができる。このため、９本の誘電被覆体５２２ａの誘電分極によって生ずる電界によって、第１の静電スクリーンを形成し、９本の誘電被覆体５２２ｂの誘電分極によって生ずる電界によって、第２の静電スクリーンを形成することができ、これらの２つの静電スクリーンによって飛動可能な生物をより的確に捕捉することができる。【０１８６】
なお、飛動生物除去装置４００では、９本の誘電被覆導電体５４０ａと５４０ｂとから、２つの「誘電被覆導電体群」が構成される場合を示したが、これに限られず、３つ以上の「誘電被覆導電体群」が構成されるようにしてもよい。このようにすることで、３つ以上の静電スクリーンを形成することができ、飛動可能な生物をさらにより的確に捕捉することができる。【０１８７】
また、図１４に示すように、９本の誘電被覆導電体５４０ａは、９本の誘電被覆体５２２ａが、図面の左方向に向くように配置され、９本の誘電被覆導電体５４０ｂは、９本の誘電被覆体５２２ｂが、図面の右方向に向くように配置されている。すなわち、９本の誘電被覆体５２２ａの外面５２４ａと９本の誘電被覆体５２２ｂと外面５２４ｂとが、互いに反対向きになるように配置されている。さらに、９本の誘電被覆体５２２ａの外面５２４ａは、筐体１５０の正面１６８ａに最も近い位置に配置され、９本の誘電被覆体５２２ｂの外面５２４ｂは、筐体１５０の背面１６８ｂに最も近い位置に配置される。このようにすることで、９本の導電体１１２ａと１１２ｂとに高い電圧を印加したときに、９本の誘電被覆導電体５４０ａや５４０ｂに触れた場合でもあっても、９本の誘電被覆体５２２ａや５２２ｂによって絶縁されているので、安全を確保することができる。【０１８８】
なお、図１４に示した飛動生物除去装置４００は、図１３（ａ）に示した誘電被覆導電体５４０を用いたが、図１３（ｂ）に示した誘電被覆導電体６４０を用いてもよい。このようにしたときには、誘電被覆導電体６４０を細くできるので、飛動生物除去装置４００の厚さ（図１４の左右方向の長さ）を薄くすることができる。【０１８９】
図１３（ａ）に示した誘電被覆体５２２や、図１３（ｂ）に示した誘電被覆体６２２のように、導電体の一部のみを誘電被覆体で覆うようにしても、誘電被覆体によって誘電分極を生じさせることができ、誘電被覆体の周囲に電界を生じさせることができる。誘電被覆体の周囲に生じる電界も、強さが位置によって異なる電界（不平等電界、不均一場）となるので、飛動可能な生物が帯電している場合には、飛動可能な生物にクーロン力を及ぼすことができ、飛動可能な生物が電気的に中性である場合には、飛動可能な生物に静電誘導を生じさせてグレーディエント力を及ぼすことできる。このような電界を生じさせることで、クーロン力やグレーディエント力を飛動可能な生物に及ぼして、飛動可能な生物を移動させにくくすることができる。このようにすることで、誘電被覆体の誘電分極により生ずる電界によって、静電スクリーンを形成し、この静電スクリーンによって飛動可能な生物を的確に捕捉することができる。【０１９０】
なお、飛動生物除去装置４００では、９本の誘電被覆導電体５４０ａと５４０ｂとの各々が水平方向に配置された場合を示したが、複数本の誘電被覆導電体５４０ａと５４０ｂは、植物配置区域２０に配置された植物に光を照射し、空気を供給することができるように、配置すればよく、水平方向に配置する場合のみならず、垂直方向や、斜め方向に配置してもよい。また、９本の誘電被覆導電体５４０ａは、水平方向に配置し、９本の誘電被覆導電体５４０ｂは、垂直方向に配置するように、９本の誘電被覆導電体５４０ａと９本の誘電被覆導電体５４０ｂとを互いに異なる方向に配置してもよい。【０１９１】
図１４には、９本の誘電被覆導電体５４０ａの全体の形状を特徴付ける第１の面１１４ａと、９本の誘電被覆導電体５４０ｂの全体の形状を特徴付ける第１の面１１４ｂとを破線で示した。この第１の面１１４ａと１１４ｂとは、飛動生物除去装置２００と同様の手法により特定することができる。【０１９２】
＜＜＜その他の実施の形態＞＞＞
上述した飛動生物除去装置１００、２００、３００又は４００では、まっすぐに延びた長尺な複数の誘電被覆導電体を平行に配置する例を示した。
飛動生物除去装置１００又は３００では、まっすぐに延びた長尺な９本の誘電被覆導電体１４０を、互いに離隔しかつ互いに平行になるように配置した。また、飛動生物除去装置２００では、まっすぐに延びた長尺な９本の誘電被覆導電体１４０ａを、互いに離隔しかつ互いに平行になるように配置するとともに、まっすぐに延びた長尺な９本の誘電被覆導電体１４０ｂを、互いに離隔しかつ互いに平行になるように配置した。さらに、飛動生物除去装置４００では、まっすぐに延びた長尺な９本の誘電被覆導電体５４０ａを、互いに離隔しかつ互いに平行になるように配置するとともに、まっすぐに延びた長尺な９本の誘電被覆導電体５４０ｂを、互いに離隔しかつ互いに平行になるように配置した。【０１９３】
誘電被覆導電体を、このような形態とは異なるほかの形態としてもよい。例えば、誘電被覆導電体を網目状に形成したものを用いてもよい。誘電被覆導電体を網目状にすることで、空気の流れを乱したり、うずを生じさせたりすることができる。空気の流れを乱したりすることによって、導電体や誘電体や誘電被覆導体によって生じた電界が有効に存在する領域に飛動可能な生物を存在させる機会を増やすことができ、的確に飛動可能な生物を捕捉したり除去したりすることができる。【０１９４】
さらに、筐体１５０の正面１６８ａの最も近い位置に、この網目状の誘電被覆導体を配置した場合には、飛動生物除去装置のカバーとしての機能も有し、飛動生物よりも大きい物体、例えば、植物の葉やゴミなどの移動を誘電性の網目体によって阻止することができ、物体が導電体と接触しないように排除することができる。【０１９５】
さらにまた、この網目状の誘電被覆導体を用いた場合であって、図１３（ａ）又は（ｂ）に示したように、導電体の一部のみが誘電被覆体で覆われているような場合には、誘電被覆体の外面が、筐体１５０の筐体開口に向くように配置するのが好ましい。具体的には、網目状に形成された誘電被覆体の外面が、筐体１５０の正面１６８ａや背面１６８ｂ（筐体開口）に向くように配置する。このようにすることで、誘電被覆体によって覆われていない導電体が、筐体開口側に向いて配置されることはないので、導電体に電源が供給されている場合であっても安全に取り扱うことができる。【０１９６】
さらに、網目状の誘電被覆導体を用いた場合であっても、網目状の誘電被覆導体のみを用いるのではなく、飛動生物除去装置１００、２００、３００又は４００で用いた９本の誘電被覆導電体と組み合わせて用いてもよい。このようにすることで、静電スクリーンとしての機能をより拡張することができる。【０１９７】
また、網目状に形成された誘電被覆導電体を用いるのではなく、網目状に形成された誘電体を用いてもよい。この場合には、飛動生物除去装置１００、２００、３００又は４００とともに、網目状に形成された誘電体を用いる。具体的には、筐体１５０の正面１６８ａの最も近い位置に、網目状に形成された誘電体を配置することで、飛動生物除去装置１００、２００、３００又は４００の防風ネットとして機能させたり、ゴミや葉などを除くカバーとして機能させたりする。このようにすることで、風が侵入するのを防止したり、飛動生物よりも大きい物体、例えば、植物の葉やゴミなどの移動を、網目状に形成された誘電体によって阻止したりることができる。さらに、筐体１５０の正面１６８ａの最も近い位置に、鎧戸・ガラスを設置してもよい。このように、網目状に形成された誘電体や、鎧戸やガラスを設けた場合には、植物の生育に影響を及ぼさない程度に光が入ることが好ましい。例えば、このときの光の透過度として，５０％以上が好ましく，より好ましくは６０％以上である。【０１９８】
さらに、特に、雨や強風のときには、飛動生物除去装置１００、２００、３００又は４００にカバー等を掛けることが好ましい。このカバーとしては、ビニールシートで覆うものや、よろい戸やガラス戸などを挙げることができる。【０１９９】
＜＜＜＜実施例＞＞＞＞
次に実施例および比較例により本発明をさらに具体的に説明するが、これに限定されるものではない。
【実施例１】
【０２００】
不導体で被覆した銅線（太さ約１．２ｍｍのビニール被覆銅線）にバンデグラフ型静電気発生装置を用いて荷電（約１５ｋＶ）させ、トマトうどんこ病の分生子がトラップされるか試験した。即ち、うどんこ病が発症したトマトの葉を不導体被覆銅線から５０ｃｍの所に置き、荷電前後での分生子が不導体被覆銅線にトラップされるかを顕微鏡で観察（３０秒間、倍率２５０倍）した。この結果、荷電前のものには分生子が不導体被覆銅線にトラップされなかったが、荷電させると分生子は不導体被覆銅線にトラップされた。
トラップした分生子が発芽するか、そしてこれが増殖するかを調べた。この結果、分生子は発芽するが増殖しなかった。
【実施例２】
【０２０１】
図１のような装置を作製し（但し、図１は概念図である）分生子の挙動を調べた。即ち、厚さ０．５ｍｍ、０．５×１０ｃｍのポリエチレンテレフタレート（ＰＥＴ）板に０．２５×８ｃｍのアルミニウム版を貼付けたのち絶縁テープで固定し（不導体で被覆した電極部）、これを塩ビ被覆銅線を用いて高電圧発生装置（光電子倍増管用の高圧出力回路を参考にして作製したもの）に接続した。この電極部を２本の０．５ｍｍ×１×１０ｃｍのＰＥＴ板を用いて（図３または図４の１４）平行に等間隔でＰＥＴ部が上に来るように６本セットした（電極部１３、図３または図４の１３）。また、０．５ｍｍ×１×１０ｃｍのＰＥＴ板を２本の０．５ｍｍ×１×１０ｃｍのＰＥＴ板を用いて平行に等間隔で６本セットした（不動部１１、図３または図４の１１）。これら電極部１３と不動部１１とを４個のスペーサー（図３、図４の１２）を用いて平行に設置した（誘電分極付与部、電極部の上に不動部が来るようにする）。スペーサーの厚みは、７ｍｍまたは９ｍｍにした。
この誘電分極付与部を図１のＡ部にセットし、電極部に−１５ｋＶまたは−５ｋＶに荷電させた（電極部に接続したものの別極はアースとした）。そして、この上方からトマトうどんこ病の分生子を３分間落下（Ｃ）させ、誘電分極付与部への付着を調べた。
この結果、誘電分極付与部に高電圧を荷電しないケースでは分生子は通過し、Ｂ部で分生子が観察されたが、荷電すると分生子は誘電分極付与部に吸着し、Ｂ部での分生子はいずれの電圧でも観察されなかった。
【実施例３】
【０２０２】
ポリエチレン製の枠に不導体で被覆した銅線（太さ約１．２ｍｍのビニール被覆銅線）を用いて約５ｍｍの間隔で縦横の格子状に張り、一端を高電圧発生装置に接続した（誘電分極付与部）。この誘電分極付与部を図１のＡ部にセットし、−１５ｋＶまたは−５ｋＶに荷電させた（電極部に接続したものの別極はアースとした）。そして、この上方からトマトうどんこ病の分生子を３分間落下（Ｃ）させ、誘電分極付与部への付着を調べた。
この結果、誘電分極付与部に高電圧を荷電しないケースでは分生子は通過し、Ｂ部で分生子が観察されたが、荷電すると分生子は誘電分極付与部に吸着し、Ｂ部での分生子は観察されなかった。
【実施例４】
【０２０３】
Ｂ部のスライドガラスの替わりにトマト苗を置いた以外は実施例２と同様に操作した。そして、トマト苗を８日間生育させた。
この結果、誘電分極付与部に高電圧を荷電しないケースでは、トマト苗にうどんこ病の発症が認められたが、荷電するとうどんこ病の発症は認められなかった。なお、荷電電圧またはスペーサーの間隔を変化させても、この結果は変わらなかった。
【実施例５】
【０２０４】
Ｂ部のスライドガラスの替わりにトマト苗を置いた以外は実施例３と同様に操作した。そして、トマト苗を８日間生育させた。
この結果、誘電分極付与部に高電圧を荷電しないケースではトマト苗にうどんこ病の発症が認められたが、荷電するとうどんこ病の発症は認められなかった。なお、荷電電圧を変化させても、この結果は変わらなかった。
【実施例６】
【０２０５】
上述した植物保護装置１５を温室内に設置し、トマトうどんこ病および小害虫（ハモグリバエ、シルバーリーフコナジラミ、サビダニ）の防除効果を調べた。
植物保護装置１５は、アクリル樹脂板で覆われた横８０ｃｍ、高さ５０ｃｍ、奥行き５０ｃｍの箱状の形状を有する。この植物保護装置１５の５つ面（２つの側面、上面、正面、背面）に、第２の実施の形態の飛動生物除去装置１００を設置し、静電スクリーンとして機能させた。この飛動生物除去装置１００として、９本の誘電被覆導電体１４０を含んだものを用いた。この９本の誘電被覆導電体１４０は、隣り合う誘電被覆導電体１４０の間隙が３ｃｍとなるようにした簾状に配置されたものである。誘電被覆導電体１４０は、アクリル製シリンダー（直径１ｃｍ）を誘電被覆体１２２とするとともに、銅線を導電体１１２とし、アクリル製シリンダーの内部に（ほぼ軸心線に沿って）銅線を配置したものである。この銅線の各々に直流低電流高電圧発生装置のマイナス極を接続し、直流低電流高電圧発生装置のプラス極を接地することで、銅線の各々に２０ｋＶを印加した。
植物保護装置１５の内部に健全なトマトの幼苗（品種：Ｍｉｃｒｏ−Ｔｏｍ）を置き、温室内にトマトうどんこ病が発病したトマト苗、および小害虫（ハモグリバエ、シルバーリーフコナジラミ、サビダニ）が繁殖したトマト苗を置いた。
印加して幼苗の時期から花が咲き結実するまで（約３ヶ月間）生育させた。この結果、植物保護装置外のトマト苗にはうどんこ病、小害虫（ハモグリバエ、シルバーリーフコナジラミ、サビダニ）の発生が認められたが、植物保護装置内のトマトにはいずれの発生も認められなかった。
【実施例７】
【０２０６】
この実施例７でも、第２の実施の形態の飛動生物除去装置１００を用いた。具体的には、アクリル樹脂板で横５０ｃｍ、高さ３０ｃｍ、奥行き２５ｃｍの箱を作製し、この中央部に１２本の誘電被覆導電体１４０を設けて、静電スクリーンを機能させた。この１２本の誘電被覆導電体１４０は、隣り合う誘電被覆導電体１４０の間隙が１ｃｍとなるようにした簾状に配置されたものである。誘電被覆導電体１４０は、塩化ビニル被覆銅線（直径１．２ｍｍ）である。この塩化ビニル被覆銅線の各々を直流低電流高電圧発生装置のマイナス極に接続し、直流低電流高電圧発生装置のプラス極を接地することで、塩化ビニル被覆銅線の各々に２０ｋＶを印加した。
実験は、実験装置の左側にキノコバエ８６匹（キノコの菌床で発生したもの）を放し、装置の右側に健全な菌床を置いた。
キノコバエを放して２時間観察した結果、静電スクリーンを通り抜けて健全な菌床が置いてある右側に移動したキノコバエは存在しなかった。この２時間の観察では、静電スクリーンに捕捉されたものが２１匹、静電スクリーンに近づいて逃げたものが３２匹、進入を試みなかったものが３３匹であった。
比較例として、電圧を印加しない実験を同様に実施した結果（８６匹を放置）、５０匹がシリンダーを通り抜けて健全な菌床が置いてある右側装置内に移動した。
【産業上の利用可能性】
【０２０７】
本発明の誘電分極による分生子および菌体等の除去方法は、空気中から効率良く植物病原菌の分生子および菌体等を除去できることおよび放電等によりオゾン発生がないことから、植物に対して障害を与えることなく植物病害の発生を防止することに用いることができる。
【図１】
0005599564.tif 000002
【図２】
0005599564.tif 000003
【図３】
0005599564.tif 000004
【図４】
0005599564.tif 000005
【図５】
0005599564.tif 000006
【図６】
0005599564.tif 000007
【図７】
0005599564.tif 000008
【図８】
0005599564.tif 000009
【図９】
0005599564.tif 000010
【図１０】
0005599564.tif 000011
【図１１】
0005599564.tif 000012
【図１２】
0005599564.tif 000013
【図１３】
0005599564.tif 000014
【図１４】
0005599564.tif 000015